(57)【要約】  無線通信装置は、複数の周波数帯域の中から選択優先順位が最も高い周波数帯域を示す信号を受信する受信部と、選択優先順位が最も高い周波数帯域と、選択優先順位が最も高い周波数帯域よりも選択優先順位が低い周波数帯域とを用いてデータを並行して送信する送信部と、を具備する。
2011024646.tif 000002
【特許請求の範囲】
【請求項１】
第１の通信装置と第２の通信装置とを備える無線通信システムであって、
前記第１の通信装置は、
複数の周波数帯域の無線信号を受信する第１の受信部と、
前記周波数帯域の選択優先順位を記憶する第１の情報記憶部と、
前記周波数帯域の受信品質が最低受信品質レベルを示す閾値以上で、かつ前記選択優先順位が最も高い周波数帯域を示す情報を記憶する第２の情報記憶部と、
前記第２の情報記憶部に記憶された前記情報を送信する第１の送信部と、
前記第２の情報記憶部に記憶された前記情報の周波数帯域と、前記第２の情報記憶部に記憶された前記情報の周波数帯域よりも優先選択順位の低い周波数帯域とを用いて送信されたデータを受信するように前記第１の受信部を制御する通信制御部と、
を具備し、
前記第２の通信装置は、
前記第１の通信装置が送信する前記情報を受信する第２の受信部と、
前記第２の受信部が受信した前記情報に基づいて、前記優先順位がもっとも高い周波数帯域と、前記優先順位がもっとも高い周波数帯域よりも優先選択順位の低い周波数帯域とを用いてデータを並行して送信する第２の送信部と、
を具備する無線通信システム。
【請求項２】
前記閾値は、周波数帯域毎に異なる請求項１に記載の無線通信システム。
【請求項３】
前記選択優先順位は、受信品質が良好であると期待される周波数帯域ほど順位が低い請求項１に記載の無線通信システム。
【請求項４】
前記選択優先順位は、中心周波数が低い周波数帯域ほど順位が低い請求項３に記載の無線通信システム。
【請求項５】
前記選択優先順位は、中心周波数が低い周波数帯域であっても良好な受信品質が期待できないときは、中心周波数の高い他の周波数帯域よりも順位が高い請求項３に記載の無線通信システム。
【請求項６】
前記第２の通信装置の前記第２の送信部は、前記選択優先順位が最も高い周波数帯域をアンカーキャリアとして用いて、前記複数の周波数帯域の制御情報を前記アンカーキャリアにまとめて送信する請求項１に記載の無線通信システム。
【請求項７】
前記第２の通信装置の前記第２の送信部は、前記選択優先順位が最も低い周波数帯域をアンカーキャリアとして用いて、前記複数の周波数帯域の制御情報を前記アンカーキャリアにまとめて送信する請求項１に記載の無線通信システム。
【請求項８】
前記第１の通信装置の前記通信制御部は、
前記選択優先順位が最も高い周波数帯域の受信品質が受信品質の良好であることを示す閾値以上である場合は、選択優先順位がより高い周波数帯域を選択優先順位が最も高い周波数帯域に変更する請求項１に記載の無線通信システム。
【請求項９】
前記第２の通信装置の前記第２の送信部は、前記第１の通信装置に共通の報知信号に前記選択優先順位を含めて送信する請求項１に記載の無線通信システム。
【請求項１０】
前記選択優先順位は、複数の周波数帯域に同一の順位が付けられている請求項１に記載の無線通信システム。
【請求項１１】
複数の周波数帯域の無線信号を受信する受信部と、
前記受信部が受信する前記複数の無線信号の受信品質を前記周波数帯域の各々について測定する受信品質測定部と、
測定された前記受信品質が予め決められた閾値以上である前記周波数帯域の中から、前記周波数帯域の順位であって受信品質が良好であると期待される周波数帯域ほど低い順位を示す選択優先順位が最も高い周波数帯域を選択する周波数帯域選択部と、
前記周波数帯域選択部が選択した前記周波数帯域を示す信号を送信する送信部と、
前記複数の周波数帯域のうち、前記周波数帯域選択部が選択した前記周波数帯域と同じ前記選択優先順位の周波数と、前記周波数帯域選択部が選択した前記周波数帯域と同じ前記選択優先順位の周波数よりも前記選択優先順位の低い周波数帯域とを用いて並行して送信されたデータを受信するように前記受信部を制御する通信制御部と、
を具備する無線通信装置。
【請求項１２】
前記受信部は、受信する周波数帯域のうち前記選択優先順位が最も高い周波数帯域で制御情報を受信する請求項１１に記載の無線通信装置。
【請求項１３】
前記受信部は、受信する周波数帯域のうち前記選択優先順位が最も低い周波数帯域で制御情報を受信する請求項１１に記載の無線通信装置。
【請求項１４】
複数の周波数帯域の中から選択優先順位が最も高い周波数帯域を示す信号を受信する受信部と、
前記選択優先順位が最も高い周波数帯域と、前記選択優先順位が最も高い周波数帯域よりも前記選択優先順位が低い周波数帯域とを用いてデータを並行して送信する送信部と、
を具備する無線通信装置。
【請求項１５】
前記送信部は、送信する周波数帯域のうち前記選択優先順位が最も高い周波数帯域で制御情報を送信する請求項１４に記載の無線通信装置。
【請求項１６】
前記送信部は、送信する周波数帯域のうち前記選択優先順位が最も低い周波数帯域で制御情報を送信する請求項１４に記載の無線通信装置。
【請求項１７】
前記送信部は、前記選択優先順位の優先順位を送信する請求項１４に記載の無線通信装置。
【請求項１８】
複数の周波数帯域の無線信号を受信し、
受信する前記複数の無線信号の受信品質を前記周波数帯域の各々について測定し、
測定された前記受信品質が予め決められた閾値以上である前記周波数帯域の中から、前記周波数帯域の順位であって受信品質が良好であると期待される周波数帯域ほど低い順位を示す選択優先順位が最も高い周波数帯域を選択し、
選択した前記周波数帯域を示す信号を送信し、
前記複数の周波数帯域のうち、選択した前記周波数帯域と同じ前記選択優先順位の周波数と、選択した前記周波数帯域と同じ前記選択優先順位の周波数よりも前記選択優先順位の低い周波数帯域とを用いて並行して送信されたデータを受信するように制御する無線通信方法。
【請求項１９】
複数の周波数帯域の中から選択優先順位が最も高い周波数帯域を示す信号を受信し、
前記選択優先順位が最も高い周波数帯域と、前記選択優先順位が最も高い周波数帯域よりも前記選択優先順位が低い周波数帯域とを用いてデータを並行して送信する無線通信方法。
【発明の詳細な説明】
【技術分野】
【０００１】
本発明は、無線通信システム、無線通信装置および無線通信方法に関する。
本願は、２００９年８月２５日に、日本に出願された特願２００９−１９４６１０号に基づき優先権を主張し、その内容をここに援用する。
【背景技術】
【０００２】
３ＧＰＰ（3rd Generation Partnership Project、第３世代パートナーシッププロジェクト）では、ＬＴＥ（Long Term Evolution、（第３世代の）長期進化）の次の通信方式としてＬＴＥ−Ａ（LTE-Advanced）が検討されている。ＬＴＥ−Ａでは、ＬＴＥよりも高速の通信を実現するために、ＬＴＥで使用される２０ＭＨｚの帯域よりも広帯域な１００ＭＨｚの帯域を用いて通信を行うことが検討されている。しかしながら、既に様々な周波数帯域が様々な用途に割り当てられているため、広帯域の連続した周波数領域をＬＴＥ−Ａ用として確保することは困難である。また、ＬＴＥとの互換性を可能な限り維持することが望まれる。これらの目的から、帯域幅が２０ＭＨｚ以下の帯域を複数用いて通信を行うことで、最大１００ＭＨｚの帯域幅を確保し、高速かつ大容量の通信を実現するキャリアアグリゲーション（Carrier Aggregation）が提案された。この提案は、会合（３ＧＰＰ  ＲＡＮ１＃５３ｂ）で合意された（非特許文献１参照）。このキャリアアグリゲーションにおいて、２０ＭＨｚまでのキャリア（帯域）は、コンポーネントキャリア（Component Career；ＣＣ）と呼ばれる。なお、キャリアアグリゲーションのシグナリングやチャネル配置やマッピング等、詳細仕様については今後策定される予定である。【０００３】
下りリンクにおけるコントロールチャネルの配置について、例えば各コンポーネントキャリアにコントロールチャネルとしてＰＣＦＩＣＨ（Physical Control Format Indicator Channel、制御フォーマットインディケータチャネル）や、ＰＨＩＣＨ（Physical Hybrid Automatic Repeat Request Indicator Channel、ＨＡＲＱインディケータチャネル）や、ＰＤＣＣＨ（Physical Downlink Control Channel、下りリンク制御チャネル）を配置し、ＬＴＥとの互換性を維持する方法が考えられる。もっとも、このキャリアアグリゲーション方法において、どのコンポーネントキャリアで制御情報を送信するかが予め定まっていない場合は、端末装置は複数のコンポーネントキャリアを同時に監視する必要がある。従って、端末装置の受信部にて複数のコンポーネントキャリアの帯域に対応した信号を待ち受ける必要がある。このため、１個のコンポーネントキャリアの帯域に対応した信号を待ち受ける場合よりも端末装置の消費電力が増大する。【０００４】
一方、キャリアアグリゲーションを実行するためには、ＬＴＥとの互換性をある程度放棄して新たなＤＣＩ（Downlink Control Information）フォーマットを構築する必要がある。この際、あるひとつのコンポーネントキャリアに他のコンポーネントキャリアのコントロール情報もまとめて配置する。これにより、ＨＡＲＱにおけるアクノリッジ（ACKnowledge;ＡＣＫ）信号やノット・アクノリッジ（Not-ACKnowledge;ＮＡＣＫ）信号のフィードバック量を低減することができる。また、この方法を用いる場合、待ち受け状態にある端末装置は、コントロール情報を格納している１個のコンポーネントキャリアのみを監視すればよいので、端末装置の消費電力を削減できる。非特許文献２ではこの方法に基づき、Ｓｅｍｉ−Ｄｙｎａｍｉｃ  Ｔｒｉｇｇｅｒｉｎｇ  ＰＤＣＣＨを用いて、アグリゲーションを行わせるコンポーネントキャリアの通知を行う技術が提案されている。このＳｅｍｉ−Ｄｙｎａｍｉｃ  Ｔｒｉｇｇｅｒｉｎｇ  ＰＤＣＣＨは、次のサブフレームにおいてアクティブ化するコンポーネントキャリアのセットや、このアクティブ化の有効期間の情報を含む。Ｓｅｍｉ−Ｄｙｎａｍｉｃ  Ｔｒｉｇｇｅｒｉｎｇ  ＰＤＣＣＨを受信したＬＴＥ−Ａの端末装置は、有効期間までの間、アクティブ化されたコンポーネントキャリアセットのみを監視すればよく、消費電力を抑制できる。
また、非特許文献３においても、複数のコンポーネントキャリアで通信を行うと消費電力が増大するため、出来る限り１つのコンポーネントキャリアで通信することが望ましいことが示されている。
また、非特許文献４では、制御信号の通信等の基礎として用いられるコンポーネントキャリアであるアンカーキャリアについて記載されている。
【先行技術文献】
【非特許文献】
【０００５】
【非特許文献１】３ＧＰＰ、TR36.814 V0.4.1、第５章
【非特許文献２】３ＧＰＰ、"Issues on Carrier Aggregation for Advanced E-UTRA"、R1-084443
【非特許文献３】３ＧＰＰ、"Spectrum Aggregation Operations - UE Impact Considerations"、R1-084405
【非特許文献４】３ＧＰＰ、"PDCCH coding and mapping for carrier aggregation"、R1-090682
【発明の概要】
【発明が解決しようとする課題】
【０００６】
しかし、アンカーキャリアやそれに相当するコンポーネントキャリア、あるいはキャリアアグリゲーションを行うコンポーネントキャリアの具体的な決定方法は提案されていない。例えば、全てのコンポーネントキャリアについて端末装置が基地局装置に受信品質を送信し、基地局装置がこの受信品質に基づいてキャリアアグリゲーションを行うコンポーネントキャリアを決定する方法が考えられる。しかし、この場合、全てのコンポーネントキャリアの伝搬路状態情報を送信するので通信量が多いという問題がある。【０００７】
本発明は、このような事情に鑑みてなされたもので、その目的は、通信に用いる周波数帯域をより少ない通信量で決定することができる無線通信システム、無線通信装置および無線通信方法を提供することにある。
【課題を解決するための手段】
【０００８】
［１］この発明は上述した課題を解決するためになされたもので、本発明の一態様による無線通信システムは、第１の通信装置と第２の通信装置とを備える無線通信システムであって、前記第１の通信装置は、複数の周波数帯域の無線信号を受信する第１の受信部と、前記周波数帯域の選択優先順位を記憶する第１の情報記憶部と、前記周波数帯域の受信品質が最低受信品質レベルを示す閾値以上で、かつ前記選択優先順位が最も高い周波数帯域を示す情報を記憶する第２の情報記憶部と、前記第２の情報記憶部に記憶された前記情報を送信する第１の送信部と、前記第２の情報記憶部に記憶された前記情報の周波数帯域と、前記第２の情報記憶部に記憶された前記情報の周波数帯域よりも優先選択順位の低い周波数帯域とを用いて送信されたデータを受信するように前記第１の受信部を制御する通信制御部と、を具備し、前記第２の通信装置は、前記第１の通信装置が送信する前記情報を受信する第２の受信部と、前記第２の受信部が受信した前記情報に基づいて、前記優先順位がもっとも高い周波数帯域と、前記優先順位がもっとも高い周波数帯域よりも優先選択順位の低い周波数帯域とを用いてデータを並行して送信する第２の送信部と、を具備する。
ここでいう受信品質とは、ある周波数帯域における無線信号の受信状況を示す数値をいう。第１の通信装置は、例えば受信信号に含まれる参照信号の１リソースブロック当たりの受信電力（ＲＳＲＰ；Reference Signal Received Power）を受信品質として用いる。
この通信システムでは、受信側の無線通信装置（第１の通信装置）で、どの周波数帯域まで受信品質が閾値以上かを測定し、受信品質が閾値以上の周波数帯域のうち、最も選択優先順位の高い周波数帯域を送信側の無線通信装置（第２の通信装置）に通知する。送信側の無線通信装置および受信側の無線通信装置が、通知された周波数帯域と受信品質が同等またはより良好であると期待される、選択優先順位が同じ周波数帯域および選択優先順位がより低い周波数帯域を用いて通信を行う。受信側の無線通信装置は、１個の周波数帯域を通知することによって送信側の無線通信装置に対して通信に利用可能な周波数帯域を通知するので、通信に利用する周波数帯域をより少ない通信量で決定できる。
【０００９】
［２］また、本発明の一態様による無線通信システムにおいて、前記閾値は、周波数帯域毎に異なっていてもよい。
このように、閾値を周波数帯域毎に異なる値とすることにより、より適切に周波数帯域を切り替えることができる。例えば、都市部において屋内で受信側の無線通信装置を使用する場合、回折や反射などの影響により低い周波数のほうが高い周波数よりも受信品質がよい傾向がある。そこで、無線通信システムは、周波数が高い周波数帯域ほど大きな値の閾値を用いる。これにより、受信側の無線通信装置は、送信側の無線通信装置からの距離が離れた場合は、早めに低い周波数の周波数帯域に切り替え、通信が良好に行うことが期待できる。
【００１０】
［３］また、本発明の一態様による無線通信システムにおいて、前記選択優先順位は、受信品質が良好であると期待される周波数帯域ほど順位が低くてもよい。
このように、受信品質が良好であると期待される周波数帯域ほど優先順位を低くする。これにより、前記周波数帯域の受信品質が最低受信品質レベルを示す閾値以上で、かつ選択優先順位が最も高い周波数帯域と、それよりも選択優先順位の低い周波数帯域との全てが最低受信品質レベル以上であることが期待される。したがって、これらの周波数帯域を用いて通信を行うことにより通信が良好に行うことが期待できる。
【００１１】
［４］また、本発明の一態様による無線通信システムにおいて、前記選択優先順位は、中心周波数が低い周波数帯域ほど順位が低くてもよい。
この無線通信システムが郊外等の障害物の少ない環境で通信を行う場合、周波数が低い周波数帯域ほど伝搬損失が少なく、受信品質が良好であると期待される。また、この無線通信システムが都市部等の障害物の多い環境で通信を行う場合も、回折や透過率の影響で、周波数が低い周波数帯域ほど受信品質良好であると期待される。そこで中心周波数が低い周波数帯域ほど低い選択優先順位とすることで、受信品質が良好であると期待される周波数帯域ほど順位を低くすることができる。
【００１２】
［５］また、本発明の一態様による無線通信システムにおいて、前記選択優先順位は、中心周波数が低い周波数帯域であっても良好な受信品質が期待できないときは、中心周波数の高い他の周波数帯域よりも順位が高くてもよい。
このように、良好な受信品質が期待できない周波数帯域の順位を他の周波数帯域よりも高くすることにより、受信品質が良好であると期待される周波数帯域ほど順位を低くすることができる。
【００１３】
［６］また、本発明の一態様による無線通信システムにおいて、前記第２の通信装置の前記第２の送信部は、前記選択優先順位が最も高い周波数帯域をアンカーキャリアとして用いて、前記複数の周波数帯域の制御情報を前記アンカーキャリアにまとめて送信してもよい。
このように、選択優先順位が最も高い周波数帯域をアンカーキャリアとして用いることにより、第２の通信装置がアンカーキャリアとして使用する周波数帯域が同一の周波数帯域に集中することを回避できる。また、第２の通信装置が制御情報と１個のアンカーキャリアにまとめて送信するので、第１の通信装置は待ち受け状態において他の周波数帯域の受信部を停止して消費電力を削減することができる。
【００１４】
［７］また、本発明の一態様による無線通信システムにおいて、前記第２の通信装置の前記第２の送信部は、前記選択優先順位が最も低い周波数帯域をアンカーキャリアとして用いて、前記複数の周波数帯域の制御情報を前記アンカーキャリアにまとめて送信してもよい。
この、選択優先順位が最も低い周波数帯域は、受信品質が最も良好であると期待される周波数帯域である。この受信品質が最も良好であると期待される周波数帯域を用いて第２の通信装置が、制御情報を送信することにより、第１の通信装置がより確実に制御情報を受信することが期待できる。また、第２の通信装置が制御情報と１個のアンカーキャリアにまとめて送信するので、第１の通信装置は待ち受け状態において他の周波数帯域の受信部を停止して消費電力を削減することができる。
【００１５】
［８］また、本発明の一態様による無線通信システムにおいて、前記第１の通信装置の前記通信制御部は、前記選択優先順位が最も高い周波数帯域の受信品質が受信品質の良好であることを示す閾値以上である場合は、選択優先順位がより高い周波数帯域を選択優先順位が最も高い周波数帯域に変更してもよい。
このように、選択優先順位がより高い周波数帯域を、選択順位が最も高い周波数領域とすることにより、より多くの周波数帯域を用いて通信を行うことができる。この無線通信システムは、受信品質が良好である場合に選択優先順位が最も高い周波数領域の変更を行うので、新たに加わる周波数帯域も受信品質が良好であり、通信が円滑に行うことが期待できる。
【００１６】
［９］また、本発明の一態様による無線通信システムにおいて、前記第２の通信装置の前記第２の送信部は、前記第１の通信装置に共通の報知信号に前記選択優先順位を含めて送信してもよい。
このように、第２の通信装置が報知信号に選択優先順位を含めて送信することにより、第１の通信装置に個別に選択優先順位を送信する必要がない。そのため、第１の通信装置に個別に選択優先順位を送信する場合と比べて通信量を削減できる。
【００１７】
［１０］また、本発明の一態様による無線通信システムにおいて、前記選択優先順位は、複数の周波数帯域に同一の順位が付けられていてもよい。
この無線通信システムは、複数の周波数帯域に同一の選択優先順位を対応付ける。例えば、周波数が互いに隣接する周波数帯域に同一の順位を対応付ける。第２の通信装置は、制御情報等を受信する周波数帯域であるアンカーキャリアとして使用する周波数帯域を、選択優先順位が最も高い周波数帯域の中から選択する。これにより、第２の通信装置がアンカーキャリアとして使用する周波数帯域が同一の周波数帯域に集中することを回避できる。
【００１８】
［１１］また、本発明の一態様による無線通信装置は、複数の周波数帯域の無線信号を受信する受信部と、前記受信部が受信する前記複数の無線信号の受信品質を前記周波数帯域の各々について測定する受信品質測定部と、測定された前記受信品質が予め決められた閾値以上である前記周波数帯域の中から、前記周波数帯域の順位であって受信品質が良好であると期待される周波数帯域ほど低い順位を示す選択優先順位が最も高い周波数帯域を選択する周波数帯域選択部と、前記周波数帯域選択部が選択した前記周波数帯域を示す信号を送信する送信部と、前記複数の周波数帯域のうち、前記周波数帯域選択部が選択した前記周波数帯域と同じ前記選択優先順位の周波数と、前記周波数帯域選択部が選択した前記周波数帯域と同じ前記選択優先順位の周波数よりも前記選択優先順位の低い周波数帯域とを用いて並行して送信されたデータを受信するように前記受信部を制御する通信制御部と、を具備する。
この無線通信装置は、利用可能な周波数帯域のうち、最も選択優先順位の高い周波数帯域を送信する。この周波数帯域と同じ選択優先順位の周波数帯域およびより選択優先順位の低い周波数帯域を用いて通信を行う。これにより、より少ない通信量で通信に用いる周波数帯域を決定できる。
【００１９】
［１２］また、本発明の一態様による無線通信装置において、前記受信部は、受信する周波数帯域のうち前記選択優先順位が最も高い周波数帯域で制御情報を受信してもよい。
このように、選択優先順位が最も高い周波数帯域で制御情報を受信することにより、無線通信装置が制御信号の受信に使用する周波数帯域が同一の周波数帯域に集中することを回避できる。
【００２０】
［１３］また、本発明の一態様による無線通信装置において、前記受信部は、受信する周波数帯域のうち前記選択優先順位が最も低い周波数帯域で制御情報を受信してもよい。
この選択優先順位が最も低い周波数帯域は、受信品質が最も良好であると期待される周波数帯域なので、この無線通信装置は制御情報をより確実に受信できる。
【００２１】
［１４］また、本発明の他の態様による無線通信装置は、複数の周波数帯域の中から選択優先順位が最も高い周波数帯域を示す信号を受信する受信部と、前記選択優先順位が最も高い周波数帯域と、前記選択優先順位が最も高い周波数帯域よりも前記選択優先順位が低い周波数帯域とを用いてデータを並行して送信する送信部と、を具備する。
この無線通信装置では、受信した信号が示す周波数帯域と選択優先順位が同じ周波数帯域および選択優先順位がより低い周波数帯域を用いてデータを送信する。そのため、より少ない通信量で通信に用いる周波数帯域を決定できる。
【００２２】
［１５］また、本発明の他の態様による無線通信装置において、前記送信部は、送信する周波数帯域のうち前記選択優先順位が最も高い周波数帯域で制御情報を送信してもよい。
このように、選択優先順位が最も高い周波数帯域で制御信号を送信する。これにより、複数の無線通信装置に制御情報を送信する場合において、制御情報の送信に使用する周波数帯域が同一の周波数帯域に集中することを回避できる。
【００２３】
［１６］また、本発明の他の態様による無線通信装置において、前記送信部は、送信する周波数帯域のうち前記選択優先順位が最も低い周波数帯域で制御情報を送信してもよい。
この選択優先順位が最も低い周波数帯域は、受信品質が最も良好であると期待される周波数帯域なので、この制御情報を受信する無線通信装置は制御情報をより確実に受信できる。
【００２４】
［１７］また、本発明の他の態様による無線通信装置において、前記送信部は、前記選択優先順位の優先順位を送信してもよい。
この無線通信装置は、自ら選択優先順位を送信する。そのため、他の送信側の通信装置との位置関係など、自通信装置の状況に応じて選択優先順位を決定して送信することができる。【００２５】
［１８］また、本発明の一態様による無線通信方法は、複数の周波数帯域の無線信号を受信し、受信する前記複数の無線信号の受信品質を前記周波数帯域の各々について測定し、測定された前記受信品質が予め決められた閾値以上である前記周波数帯域の中から、前記周波数帯域の順位であって受信品質が良好であると期待される周波数帯域ほど低い順位を示す選択優先順位が最も高い周波数帯域を選択し、選択した前記周波数帯域を示す信号を送信し、前記複数の周波数帯域のうち、選択した前記周波数帯域と同じ前記選択優先順位の周波数と、選択した前記周波数帯域と同じ前記選択優先順位の周波数よりも前記選択優先順位の低い周波数帯域とを用いて並行して送信されたデータを受信するように制御する。      【００２６】
［１９］また、本発明の他の態様による無線通信方法は、複数の周波数帯域の中から選択優先順位が最も高い周波数帯域を示す信号を受信し、前記選択優先順位が最も高い周波数帯域と、前記選択優先順位が最も高い周波数帯域よりも前記選択優先順位が低い周波数帯域とを用いてデータを並行して送信する。
【発明の効果】
【００２７】
本発明によれば、通信に用いる周波数帯域をより少ない通信量で決定することができる。
【図面の簡単な説明】
【００２８】
【図１】本発明の第１の実施形態における無線通信システム１の概略構成を示すシステム構成図である。
【図２】本発明の第１の実施形態における移動端末装置２１の構成の概略を示す機能ブロック図である。
【図３】本発明の第１の実施形態において周波数帯域情報記憶部２４１が記憶するコンポーネントキャリアの情報のデータ構成を示すデータ構成図である。
【図４】本発明の第１の実施形態における基地局装置１１の構成の概略を示す機能ブロック図である。
【図５】本発明の第１の実施形態においてアグリゲーション情報記憶部１４２が記憶するアグリゲーション情報のデータ構成を示すデータ構成図である。
【図６】本発明の第１の実施形態においてアンカーキャリア情報記憶部１４３が記憶するアンカーキャリア情報のデータ構成を示すデータ構成図である。
【図７】本発明の第１の実施形態において移動端末装置２１が起動して基地局装置１１と通信を行う処理手順の例を示すシーケンス図である。
【図８】本発明の第１の実施形態におけるアンカーキャリア変更要求のデータ構成を示すデータ構成図である。
【図９】本発明の第１の実施形態において移動端末装置２１が待ち受け中にアンカーキャリアの更新を行う処理手順の例を示すシーケンス図である。
【図１０】本発明の第１の実施形態において移動端末装置２１がアンカーキャリアを選択優先順位の高いコンポーネントキャリアに変更する処理手順の例を示すシーケンス図である。
【図１１】本発明の第１の実施形態において移動端末装置２１が通信中にアンカーキャリアを変更する処理手順の例を示すシーケンス図である。
【図１２】本発明の第２の実施形態における無線通信システム２のシステム構成の概略を示す構成図である。
【図１３】本発明の第２の実施形態において基地局装置１２の各コンポーネントキャリアの送信電力の状態を示すグラフである。
【図１４】本発明の第２の実施形態において移動端末装置２６を起動して、基地局装置１２と通信を行う処理手順の例を示すシーケンス図である。
【図１５】本発明の第３の実施形態における無線通信システム３のシステム構成の概略を示す構成図である。
【図１６】本発明の第３の実施形態における移動端末装置３１の構成の概略を示す機能ブロック図である。
【図１７】本発明の第３の実施形態における基地局装置１３の構成の概略を示す機能ブロック図である。
【図１８】本発明の第３の実施形態においてアンカーキャリアとアグリゲーションするコンポーネントキャリアの制御を別々に行う場合の処理手順を示すシーケンス図である。
【図１９】本発明の第４の実施形態においてアグリゲーションが周波数の高い順とはならない場合の無線通信システム４の構成を示すシステム構成図である。
【図２０】本発明の第４の実施形態において移動端末装置３６が起動して基地局装置１４と通信を行う処理手順の例を示すシーケンス図である。
【発明を実施するための形態】
【００２９】
＜第１の実施形態＞
以下、図面を参照して、本発明の各実施形態について説明する。
図１は、本発明の第１の実施形態における無線通信システム１の概略構成を示すシステム構成図である。図１において無線通信システム１は、基地局装置１１（「第２の通信装置」と言うことがある。）と、移動端末装置２１〜２３（「第１の通信装置」と言うことがある。）とを含んでいる。基地局装置１１は、５個のコンポーネントキャリアＡ〜Ｅ（ＣＣ−Ａ〜ＣＣ−Ｅ）を含むダウンリンク（Down Link；ＤＬ）を通じて移動端末装置２１〜２３に対して無線信号を送信する。ここで、コンポーネントキャリアとは、帯域幅が２０メガヘルツ（ＭＨｚ）以下の周波数帯域のことをいう。基地局装置１１は、各コンポーネントキャリアを同等の送信電力にて、移動端末装置２１〜２３に送信する。なお、移動端末装置２１〜２３は、アップリンク（Up Link；ＵＬ）を通じて基地局装置１１に対して送信を行うが、図示を省略する。
コンポーネントキャリアＡとコンポーネントキャリアＢとは、互いに隣接する周波数帯域であり、コンポーネントキャリアＣとコンポーネントキャリアＤとは、互いに隣接する周波数帯域である。以下では、コンポーネントキャリアＡとコンポーネントキャリアＢとを含む周波数帯域を、周波数バンドＦ１という。コンポーネントキャリアＣとコンポーネントキャリアＤとを含む周波数帯域を、周波数バンドＦ２という。また、コンポーネントキャリアＥを含む周波数帯域を、周波数バンドＦ３ともいう。周波数バンドＦ１は、周波数バンドＦ２よりも周波数が高い。周波数バンドＦ２は、周波数バンドＦ３よりも周波数が高い。以下では、この周波数バンドの周波数の高低を、Ｆ１＞Ｆ２＞Ｆ３のように示す。なお、周波数バンドＦ１、Ｆ２、Ｆ３は互いに隣接していないが、これに限定されない。
また、自由空間における電波の伝搬損失は、式（１）にて示される。
【００３０】
2011024646.tif 000003
【００３１】
式（１）において、πは円周率であり、ｄは電波送信源からの距離であり、λは電波の波長を示す。
式（１）に示されるように、自由空間における伝搬損失は波長の２乗に反比例する。すなわち、自由空間における伝搬損失は、周波数の２乗に比例する。したがって、電波送信源である基地局装置１１から移動端末装置２１までの距離が同じであれば、周波数が低い周波数帯域ほど伝搬損失が少なく、周波数が高いほど損失が大きくなる。実際には、距離による伝搬損失のほかに、ビルや樹木や山などの地上障害物や、基地局装置のアンテナ特性や移動端末装置のアンテナ特性などが影響する。そのため、厳密に式（１）のとおりとはならないが、周波数が高いほど電波の損失が大きい傾向にある。したがって、基地局装置１１は、周波数が低い周波数バンドを用いるほど広いサービスエリアをカバーすることができる。
したがって、サービスエリアａｒ１よりも、サービスエリアａｒ２のほうが広い。サービスエリアａｒ１は、周波数が最も高い周波数バンドＦ１に含まれるコンポーネントキャリアＡ及びＢのサービスエリアである。サービスエリアａｒ２は、周波数バンドＦ２に含まれるコンポーネントキャリアＣ及びＤのサービスエリアである。さらに、これらのサービスエリアａｒ１及びａｒ２よりも、サービスエリアａｒ３のほうがさらに広い。サービスエリアａｒ３は、周波数バンドＦ３に含まれるコンポーネントキャリアＥのサービスエリアである。
【００３２】
移動端末装置２１は、基地局装置１１に最も近く、コンポーネントキャリアＡ〜Ｅすべてのサービスエリアａｒ１内に位置する。このため、移動端末装置２１は、これら全てのコンポーネントキャリアＡ〜Ｅを用いて基地局装置１１からの信号を受信することができる。一方、移動端末装置２２は、コンポーネントキャリアＣ〜Ｅのサービスエリアａｒ２内に位置する。このため、移動端末装置２２は、これらのコンポーネントキャリアＣ〜Ｅを用いて基地局装置１１からの信号を受信することができる。移動端末装置２３は、基地局装置１１から最も離れ、コンポーネントキャリアＥのサービスエリアａｒ３内に位置する。このため、移動端末装置２３は、このコンポーネントキャリアＥを用いて基地局装置１１からの信号を受信することができる。
複数のコンポーネントキャリアを利用可能な場合、複数のコンポーネントを用いて通信速度を高めることができる。例えば、基地局装置１１が送信する所望データを分割し、分割したデータをコンポーネントキャリアＢとコンポーネントキャリアＣとを用いて並行して送信する。移動端末装置２１は、分割されたデータをこれらのコンポーネントキャリアを通じて受信し、受信したデータを結合して所望データを得る。このように、データを並行して送受信することにより、通信速度を高めることができる。
【００３３】
図２は、移動端末装置２１の構成の概略を示す機能ブロック図である。
図２において、移動端末装置２１は、制御部２０１と、記憶部２３１と、受信部２５１−１〜２５１−３（第１の受信部）と、送信部２６１（第１の送信部）と、アンテナ２７１−１〜２７１−３及びアンテナ２８１とを含んでいる。制御部２０１は、受信品質測定部２１１と、周波数帯域選択部２１２と、通信制御部２１３と、受信データ結合部２１４とを含んでいる。記憶部２３１は、周波数帯域情報記憶部２４１（第１の情報記憶部）と、利用可能周波数情報記憶部２４２と、アンカーキャリア情報記憶部２４３（第２の情報記憶部）と、判定閾値記憶部２４４とを含んでいる。
【００３４】
移動端末装置２１において、制御部２０１は、移動端末装置２１の各部の制御を行う。制御部２０１の詳細については後述する。記憶部２３１は、制御部２０１が用いる情報を記憶する。記憶部２３１の詳細については後述する。
受信部２５１−１は、アンテナ２７１−１を介して信号を受信し、受信した信号を復調する。受信部２５１−１は、周波数バンドＦ１に対応する受信部であって、コンポーネントキャリアＡを用いて送信される信号とコンポーネントキャリアＢを用いて送信される信号とを受信して復調する。受信部２５１−１は、復調して得られた受信データを制御部２０１に出力する。なお、受信部２５１−１は、無線（ＲＦ；Radio Frequency）部（不図示）と、２つのベースバンド部（不図示）を含んでいる。受信部２５１−１の無線部は、コンポーネントキャリアＡの信号とコンポーネントキャリアＢの信号との受信処理を行う。受信部２５１−１の２つベースバンド部は、それぞれコンポーネントキャリアＡの信号とコンポーネントキャリアBの信号のベースバンド処理を行う。
【００３５】
受信部２５１−２は、アンテナ２７１−２を介して信号を受信し、受信した信号を復調する。受信部２５１−２は、周波数バンドＦ２に対応する受信部であって、コンポーネントキャリアＣを用いて送信される信号とコンポーネントキャリアＤを用いて送信される信号とを受信して復調する。受信部２５１−２は、復調して得られた受信データを制御部２０１に出力する。なお、受信部２５１−２は、無線部（不図示）と、第１のベースバンド部（不図示）と、第２のベースバンド部（不図示）とを含んでいる。受信部２５１−２の無線部は、コンポーネントキャリアＣの信号とコンポーネントキャリアＤの信号との受信処理を行う。受信部２５１−２の第１のベースバンド部は、コンポーネントキャリアＣの信号のベースバンド処理を行う。受信部２５１−２の第２のベースバンド部は、コンポーネントキャリアＤの信号のベースバンド処理を行う。
【００３６】
受信部２５１−３は、アンテナ２７１−３を介して信号を受信し、受信した信号を復調する。受信部２５１−３は、周波数バンドＦ３に対応する受信部であって、コンポーネントキャリアＥを用いて送信される信号を受信して復調する。受信部２５１−３は、復調して得られた受信データを制御部２０１に出力する。なお、受信部２５１−３は、無線部（不図示）と、ベースバンド部（不図示）とを含んでいる。受信部２５１−３の無線部は、コンポーネントキャリアＥの信号の受信処理を行う。受信部２５１−３のベースバンド部は、コンポーネントキャリアＥの信号のベースバンド処理を行う。
ここで、各受信部は、受信可能なコンポーネントキャリアの個数に応じたベースバンド部を含んでいる。例えば、第１の実施形態では、周波数バンドＦ１に２個のコンポーネントキャリアＡ及びＢが含まれている。そのため、周波数バンドＦ１に対応する受信部２５１−１は、上述のように２個のベースバンド部を含んでいる。これに対して、周波数バンドＦ１に４個のコンポーネントキャリアが含まれる可能性がある場合は、受信部２５１−１は、４個のベースバンド部を含む。基地局装置１１からの信号のように、周波数バンドＦ１にコンポーネントキャリアＡとコンポーネントキャリアＢとの２個がふくまれているときは、受信部２５１−１は、上述の４個のベースバンド部のうち２個を用いて受信処理を行う。
また、移動端末装置２１は、受信する周波数バンドの個数に応じた受信部を含む。例えば、第１の実施形態では、移動端末装置２１は、３個の受信部２５１−１〜２５１−３を含んでいる。これに対して、移動端末装置２１がより多くの受信部を備え、受信部の個数と同数の周波数バンドに対応するようにしてもよい。
なお、移動端末装置２１が、後述する基地局装置１１の送信部の個数と異なる個数の受信部を含むようにしてもよい。例えば、基地局装置１１が４個の送信部を含む場合に、移動端末装置２１が３個の受信部を含むようにしてもよい。この場合、基地局装置１１は、自基地局装置１１が送信可能なベースバンドのうち、移動端末装置２１が受信可能なベースバンドを用いて信号の送信を行う。
送信部２６１は、アンテナ２８１を介して、アップリンクＵＬを用いて、基地局装置１１へ信号を送信する。
なお、移動端末装置２１は、画像や文字等を表示する表示部や操作入力を受ける操作部等、上記以外にも公知の各部を含むが、図示及び説明を省略する。
なお、移動端末装置２２と移動端末装置２３との構成は、移動端末装置２１の構成と同様であるため、図示および説明を省略する。
【００３７】
記憶部２３１において、周波数帯域情報記憶部２４１は、基地局装置１１が利用可能なコンポーネントキャリアの情報として、各コンポーネントキャリアの周波数帯域情報と選択優先順位とを記憶する。この周波数帯域情報には、中心周波数と帯域幅の情報が含まれる。選択優先順位は、（キャリア）アグリゲーション（の）レベルとも称する。伝搬損失の周波数特性から周波数が低いほど受信品質が良好であることが期待される。そこで、第１の実施形態では、選択優先順位を周波数が低いほど低いようにしている。
選択優先順位は、周波数帯域の順位であり、受信品質が良好であると期待される周波数帯域ほど順位が低い。なお、無線通信システム１が用いる選択優先順位は、「１」が最も高く、大きな値ほど順位が低い。
利用可能周波数情報記憶部２４２は、自移動端末装置２１が利用可能なコンポーネントキャリアを示す情報を記憶する。
アンカーキャリア情報記憶部２４３は、自移動端末装置２１がアンカーキャリアとして利用しているコンポーネントキャリアを示す情報を記憶する。
判定閾値記憶部２４４は、受信品質の閾値を周波数バンド毎に記憶する。判定閾値記憶部２４４は、閾値Ｆｉ−Ｌ（１≦ｉ≦３）と、閾値Ｆｉ−Ｈ（１≦ｉ≦３）とを周波数バンド毎に記憶する。閾値Ｆｉ−Ｌは、受信品質が劣化した場合にそのコンポーネントキャリアをキャリアアグリゲーションに利用しないことを判定するための閾値である。閾値Ｆｉ−Ｈは、受信品質が良好である場合にそのコンポーネントキャリアをキャリアアグリゲーションに利用するキャリアとして判定する為の閾値である。以下では、閾値Ｆｉ−Ｌ（１≦ｉ≦３）を、下がり閾値、または、最低受信品質レベルを示す閾値ともいう。閾値Ｆｉ−Ｌは、受信品質が劣化した場合にそのコンポーネントキャリアをキャリアアグリゲーションに利用しないことを判定するための閾値である。また、閾値Ｆ１−Ｌを、閾値ＣＣ−Ａ−Ｌまたは閾値ＣＣ−Ｂ−Ｌとも記述する。閾値Ｆ２−Ｌを、閾値ＣＣ−Ｃ−Ｌまたは閾値ＣＣ−Ｄ−Ｌとも記述する。閾値Ｆ３−Ｌを、閾値ＣＣ−Ｅ−Ｌとも記述する。また、閾値Ｆ１−Ｈを、閾値ＣＣ−Ａ−Ｈまたは閾値ＣＣ−Ｂ−Ｈとも記述する。閾値Ｆ２−Ｈを、閾値ＣＣ−Ｃ−Ｈまたは閾値ＣＣ−Ｄ−Ｈとも記述する。閾値Ｆ３−Ｌを、閾値ＣＣ−Ｅ−Ｈとも記述する。
【００３８】
判定閾値記憶部２４４は、周波数バンド毎に予め決められたデフォルトの閾値を記憶している。さらに、判定閾値記憶部２４４は、基地局装置１１から閾値を通知された場合はその閾値を記憶する。判定閾値記憶部２４４が基地局装置１１から通知された閾値を記憶している場合は、制御部２０１は、その閾値を使用する。一方、判定閾値記憶部２４４が基地局装置１１から通知された閾値を記憶していない場合は、制御部２０１は、判定閾値記憶部２４４が記憶するデフォルトの閾値を使用する。このように、判定閾値記憶部２４４がデフォルトの閾値を記憶する。これにより、予め決められたデフォルトの閾値を用いる基地局装置１１は、閾値の通知を行わないことにより、閾値を送信するオーバーヘッドを削減できる。一方、基地局装置１１の設置状況に基づいて基地局装置１１固有の閾値を設定する場合は、基地局装置１１が閾値を移動端末装置２１に送信する。なお、後述するように基地局装置１１が全コンポーネントキャリアに共通の閾値あるいはコンポーネントキャリア毎の閾値を送信する場合は、判定閾値記憶部２４４は、全コンポーネントキャリアに共通の閾値あるいはコンポーネントキャリア毎の閾値を記憶する。
【００３９】
制御部２０１において、受信品質測定部２１１は、受信部２５１−１〜２５１−３が受信する信号の受信品質を、各コンポーネントキャリアについて測定する。
受信品質測定部２１１は、受信品質として、基地局装置１１が送信する参照信号の１つのリソースブロック当たりの受信電力（ＲＳＲＰ；Reference Signal Received Power）を測定する。なお、受信品質測定部２１１が、コンポーネントキャリア全体における参照信号の受信電界強度（ＲＳＳI；Received Signal Strength Indicator）を受信品質として測定するようにしてもよい。あるいは、受信品質測定部２１１が、Ｎ×ＲＳＲＰ／ＲＳＳＩで計算される参照信号の受信品質（ＲＳＲＱ；Reference Signal Received Quality）を受信品質として測定するようにしてもよい。なお、Ｎは対象のコンポーネントキャリア内のリソースブロック数である。なお、通信中においては、受信品質測定部２１１がチャネル品質情報（ＣＱＩ；Channel Quality Indicator）を受信品質として測定するようにしてもよい。
【００４０】
周波数帯域選択部２１２は、判定閾値記憶部２４４から最低受信品質を示す閾値ＣＣ−ｘ−Ｌ（ｘ＝Ａ〜Ｅ）を読み出す。周波数帯域選択部２１２は、受信品質測定部２１１が測定した受信品質が、読み出された閾値ＣＣ−ｘ−Ｌ（ｘ＝Ａ〜Ｅ）以上のコンポーネントキャリアを選択する。また、周波数帯域選択部２１２は、周波数帯域情報記憶部２４１から選択優先順位情報を読み出す。周波数帯域選択部２１２は、読み出した選択優先順位情報に従って、受信品質が対応する閾値ＣＣ−ｘ−Ｌ（ｘ＝Ａ〜Ｅ）以上のコンポーネントキャリアの中から、対応付けられた選択優先順位が最も高いコンポーネントキャリアを選択する。周波数帯域選択部２１２は、アンカーキャリアを示す情報として選択したコンポーネントキャリアを示す情報を記憶部２３１のアンカーキャリア情報記憶部２４３に書き込む。また、周波数帯域選択部２１２は、アンカーキャリアを示す情報として選択したコンポーネントキャリアを示す情報を送信部２６１に入力する。
【００４１】
通信制御部２１３は、周波数帯域選択部２１２が選択したコンポーネントキャリアと同じ選択優先順位のコンポーネントキャリアおよびそれよりも選択優先順位の低いコンポーネントキャリアの無線信号を受信するよう受信部２５１−１〜２５１−３を制御する。
受信データ結合部２１４は、受信部２５１−１〜２５１−３が復調したデータを結合して所望の送信データを復元する。受信部２５１−１〜２５１−３が復調するデータは、基地局装置１１が分割して各コンポーネントキャリアにて送信した所望の送信データである。受信データ結合部２１４は、このデータを結合して所望の送信データを復元する。なお、基地局装置１１がコンポーネントキャリア毎に個別のデータを送信するようにしてもよい。この場合は、受信部２５１−１〜２５１−３が復調したコンポーネントキャリア毎の受信データが所望の送信データである。この場合、受信データ結合部２１４は、受信したデータに対して何も操作を行わない。
【００４２】
第１の実施形態による移動端末装置２１（図２）は、受信部２５１−１〜２５１−３、受信品質測定部２１１、周波数帯域選択部２１２、送信部２６１、通信制御部２１３を備える。
受信部２５１−１〜２５１−３は、複数の周波数帯域の無線信号を、基地局装置１１から受信する。
受信品質測定部２１１は、受信部２５１−１〜２５１−３が受信する複数の無線信号の受信品質を周波数帯域の各々について測定する。
周波数帯域選択部２１２は、測定された受信品質が予め決められた閾値以上である周波数帯域の中から、周波数帯域の順位であって受信品質が良好であると期待される周波数帯域ほど低い順位を示す選択優先順位が最も高い周波数帯域を選択する。
送信部２６１は、周波数帯域選択部２１２が選択した周波数帯域を示す信号を、基地局装置１１に送信する。
通信制御部２１３は、複数の周波数帯域のうち、周波数帯域選択部２１２が選択した周波数帯域と同じ選択優先順位の周波数と、周波数帯域選択部２１２が選択した周波数帯域と同じ選択優先順位の周波数よりも選択優先順位の低い周波数帯域とを用いて並行して送信されたデータを受信するように受信部２５１−１〜２５１−３を制御する。
【００４３】
なお、第１の実施形態による移動端末装置２１において、受信部２５１−１〜２５１−３は、受信する周波数帯域のうち選択優先順位が最も高い周波数帯域で制御情報を受信するようにしてもよい。
【００４４】
また、第１の実施形態による移動端末装置２１において、受信部２５１−１〜２５１−３は、受信する周波数帯域のうち選択優先順位が最も低い周波数帯域で制御情報を受信するようにしてもよい。
【００４５】
図３は、周波数帯域情報記憶部２４１が記憶するコンポーネントキャリアの情報のデータ構成を示すデータ構成図である。周波数帯域情報記憶部２４１は、コンポーネントキャリアの情報を表形式のデータとして記憶する。図３に示す表形式のデータの各行が、１個のコンポーネントキャリアに対応する。
図３において、コンポーネントキャリアの情報は、コンポーネントキャリア識別子（Identifier；ＩＤ）と、中心周波数と、帯域幅と、選択優先順位と、利用可否とを含んでいる。制御部２０１は、コンポーネントキャリア識別子をキーとしてコンポーネントキャリアの情報を検索する。
コンポーネントキャリア識別子は、各コンポーネントキャリアを識別するデータである。中心周波数は、コンポーネントキャリアが使用する周波数帯域の中心の周波数である。帯域幅は、コンポーネントキャリアが使用する周波数帯域の帯域幅である。中心周波数と帯域幅とを合わせて周波数帯域情報ともいう。選択優先順位は、コンポーネントキャリアに対応付けられた選択優先順位である。利用可否は、このコンポーネントキャリアを、現在利用可能（「可」）か否（「不可」）かを示す。
【００４６】
図４は、基地局装置１１の構成の概略を示す機能ブロック図である。
図４において、基地局装置１１は、制御部１０１と、記憶部１３１と、送信部１５１−１〜１５１−３（第２の送信部）と、受信部１６１（第２の受信部）と、アンテナ１７１−１〜１７１−３及びアンテナ１８１と、コアネットワーク（Core Network；ＣＮ）通信部１９１とを含んでいる。記憶部１３１は、周波数帯域情報記憶部１４１（第１の情報記憶部）と、アグリゲーション情報記憶部１４２（第２の情報記憶部）と、各端末アンカーキャリア情報記憶部１４３と、判定閾値記憶部１４４とを含んでいる。
【００４７】
基地局装置１１において、制御部１０１は、基地局装置１１の各部の制御を行う。
送信部１５１−１〜１５１−３は、基地局装置１１から各移動端末装置２１〜２３に送信する送信データを変調して無線信号に変換する。そして、送信部１５１−１〜１５１−３は、変換した信号を、それぞれアンテナ１７１−１〜１７１−３を介して送信する。送信部１５１−１は、コンポーネントキャリアＡとコンポーネントキャリアＢとを用いて送信を行う。送信部１５１−２は、コンポーネントキャリアＣとコンポーネントキャリアＤとを用いて送信を行う。送信部１５１−３は、コンポーネントキャリアＥを用いて送信を行う。
受信部１６１は、移動端末装置２１〜２３からアップリンクを用いて送信される信号を、アンテナ１８１を介して受信する。そして、受信部１６１は、受信した信号を復調する。
コアネットワーク通信部１９１は、コアネットワークに接続して通信を行う。コアネットワーク通信部１９１は、移動端末装置２１〜２３に送信するデータを、コアネットワークから受信し、制御部１０１及び送信部１５１−１〜１５１−３及びアンテナ１７１−１〜１７１−３を介して、移動端末装置２１〜２３に送信する。また、コアネットワーク通信部１９１は、移動端末装置２１〜２３が送信したデータを、コアネットワークに送信する。
【００４８】
記憶部１３１において、周波数帯域情報記憶部１４１は、移動端末装置２１（図２）の周波数帯域情報記憶部２４１と同様に、自基地局装置１１が利用可能なコンポーネントキャリアの情報を記憶する。ただし、周波数帯域情報記憶部１４１は、利用可否は記憶しない。周波数帯域情報記憶部１４１は、各コンポーネントキャリアの選択優先順位として、予め定められた選択優先順位を記憶する。図３に示したように、周波数帯域情報記憶部１４１は、周波数が高いコンポーネントキャリアほど高い選択優先順位を記憶する。なお、周波数帯域情報記憶部１４１が記憶する周波数帯域情報は、周波数が高いコンポーネントキャリアほど高い選択優先順位であるものに限らない。詳細については後述する。
アグリゲーション情報記憶部１４２は、アグリゲーション情報を記憶する。ここで、アグリゲーション情報は、基地局装置１１から移動端末装置２１〜２３への通信において実行可能なキャリアアグリゲーションに関する情報である。
【００４９】
第１の実施形態による基地局装置１１（図４）は、受信部１６１、送信部１５１−１〜１５１−３を備える。
受信部１６１は、複数の周波数帯域の中から選択優先順位が最も高い周波数帯域を示す信号を、移動端末装置２１〜２３から受信する。
送信部１５１−１〜１５１−３は、選択優先順位が最も高い周波数帯域と、選択優先順位が最も高い周波数帯域よりも選択優先順位が低い周波数帯域とを用いてデータを並行して、移動端末装置２１〜２３に送信する。
【００５０】
なお、第１の実施形態による基地局装置１１において、送信部１５１−１〜１５１−３は、送信する周波数帯域のうち選択優先順位が最も高い周波数帯域で制御情報を、移動端末装置２１〜２３に送信するようにしてもよい。
【００５１】
また、第１の実施形態による基地局装置１１において、送信部１５１−１〜１５１−３は、送信する周波数帯域のうち選択優先順位が最も低い周波数帯域で制御情報を、移動端末装置２１〜２３に送信するようにしてもよい。
【００５２】
また、第１の実施形態による基地局装置１１において、送信部は、選択優先順位の優先順位を、移動端末装置２１〜２３に送信するようにしてもよい。
【００５３】
図５は、アグリゲーション情報記憶部１４２が記憶するアグリゲーション情報のデータ構成を示すデータ構成図である。アグリゲーション情報記憶部１４２は、アグリゲーション情報を表形式のデータとして記憶する。図５の表形式のデータの各行が１個の移動端末装置に対応する。
図５において、アグリゲーション情報は、ＩＭＳＩ（International Mobile Subscriber Identity、国際移動端末装置識別子）と、アグリゲーションレベル情報と、使用コンポーネントキャリア情報とを含んでいる。制御部１０１は、ＩＭＳＩをキーとしてアグリゲーション情報を検索する。
ＩＭＳＩは、各移動端末装置を識別する識別子である。アグリゲーションレベル情報は、移動端末装置の現在のアグリゲーションレベルを示す情報である。使用コンポーネントキャリア情報は、キャリアアグリゲーションに使用するコンポーネントキャリアを示す情報である。
なお、アグリゲーション情報記憶部１４２が、移動端末装置を識別する識別子として、ＴＭＳＩ（Temporary Mobile Subscriber Identity）やＭＳＩＳＤＮ（Mobile Subscriber ISDN Number）等、ＩＭＳＩ以外の情報を記憶するようにしてもよい。
【００５４】
図６は、各端末アンカーキャリア情報記憶部１４３が記憶するアンカーキャリア情報のデータ構成を示すデータ構成図である。各端末アンカーキャリア情報記憶部１４３は、アンカーキャリア情報を表形式のデータとして記憶する。図６の表形式のデータの各行が１個の移動端末装置に対応する。
図６においてアンカーキャリア情報は、ＩＭＳＩと、アンカーキャリア情報とを含む。制御部１０１は、ＩＭＳＩをキーとしてアンカーキャリア情報を検索する。
ＩＭＳＩは、各移動端末装置を識別する識別子である。アンカーキャリア情報は、移動端末装置のアンカーキャリアとして使用するコンポーネントキャリアを示す情報である。
なお、アグリゲーション情報記憶部１４２と同様に、各端末アンカーキャリア情報記憶部１４３が、移動端末装置を識別する識別子としてＴＭＳＩやＭＳＩＳＤＮ等、ＩＭＳＩ以外の情報を記憶するようにしてもよい。
【００５５】
図７は、移動端末装置２１が起動して基地局装置１１と通信を行う処理手順の例を示すシーケンス図である。基地局装置１１と移動端末装置２１とが通信に使用するコンポーネントキャリアは、基地局装置１１側にて示す。また、移動端末装置２１は、基地局装置１１に対してアップリンクを用いて通信を行う。このアップリンクでは、キャリアアグリゲーションは行わない。移動端末装置２１は、複数のアップリンクのうち、いずれかのコンポーネントキャリアに対応するアップリンクを用いて通信を行う。図７中においては、移動端末装置２１が用いるアップリンクに対応するコンポーネントキャリアへの矢印にてアップリンクの通信を示す。以下のシーケンス図においても同様である。
上述したように、基地局装置１１は、５個のコンポーネントキャリアＡ〜Ｅを用いてダウンリンクの信号を送信する。コンポーネントキャリアＡとコンポーネントキャリアＢとは、周波数バンドＦ１に含まれ、キャリアアグリゲーションのレベルは「レベル１」に設定されている。コンポーネントキャリアＣとコンポーネントキャリアＤとは、周波数バンドＦ２に含まれ、キャリアアグリゲーションのレベルは「レベル２」に設定されている。コンポーネントキャリアＥは、周波数バンドＦ３に含まれ、キャリアアグリゲーションレベルは「レベル３」に設定されている。基地局装置１１は、コンポーネントキャリアＡ〜Ｅの全てで同様に同期信号や報知情報等を送信する。また、基地局装置１１は、コンポーネントキャリアＡ〜Ｅのいずれに対応するアップリンクでも位置登録やキャンプオンなどの処理を受け付ける。ここでいうキャンプオンとは、移動端末装置２１が基地局装置１１に位置登録され、移動端末装置２１が基地局装置１１からサービスを受けられる状態にあることをいう。
移動端末装置２１は、電源が投入されると図７の処理を開始する。
【００５６】
シーケンスＳ１において、移動端末装置２１は、セルサーチを行う。移動端末装置２１は、ＬＴＥ等、キャリアアグリゲーションを実施しない場合の従来のセルサーチと同様のセルサーチを行う。具体的には、通信制御部２１３は、まず受信部２５１−１〜２５１−３を介して同期信号を受信し、基地局装置１１の信号との同期を確立する。基地局装置１１は、コンポーネントキャリアＡ〜Ｅをキャリアアグリゲーションで利用可能であり、これら全てを利用可能なコンポーネントキャリアとする情報を報知情報に含めて送信する。次に、通信制御部２１３は、受信部２５１−１〜２５１−３を介して基地局装置１１が送信する報知情報を受信し、基地局装置１１との通信に必要な各種パラメータ等を読み出す。通信制御部２１３は、報知情報からキャリアアグリゲーションで利用可能なコンポーネントキャリアの情報を読み出す。基地局装置１１は、キャリアアグリゲーションで利用可能なコンポーネントキャリアの情報を、周波数帯域情報記憶部１４１に記憶している。基地局装置１１は、周波数帯域情報記憶部１４１から読み出したこの情報を報知情報に含めて送信する。
通信制御部２１３は、受信した報知情報からキャリアアグリゲーションで利用可能なコンポーネントキャリアの情報を読み出して、周波数帯域情報記憶部２４１に書き込む。
なお、同期信号および報知信号を受信可能な基地局装置が複数ある場合は、通信制御部２１３は、これら複数の基地局装置のうち位置登録を行う可能性がある全ての基地局装置について上記の処理を行う。
【００５７】
シーケンスＳ２において、移動端末装置２１は、セルサーチにより見つかった基地局装置の中から接続する基地局装置を選択し、位置登録要求を送信する。図７の例では、移動端末装置２１は、基地局装置１１に対して位置登録要求を送信する。移動端末装置２１は、信号の受信状況に応じて位置登録を行うコンポーネントキャリアを決定する。報知情報には、送信周波数に関する情報が含まれている。移動端末装置２１は、この送信周波数に関する情報を報知情報から読み出す。移動端末装置２１は、読み出した情報が示す送信周波数を用いて基地局装置に送信を行い、位置登録を行う。図７の例では、移動端末装置２１は、コンポーネントキャリアＤにて報知情報を受信する。そして、移動端末装置２１は、そこで通知されている送信周波数で基地局装置１１に送信を行う。基地局装置１１は、位置登録の要求を受信した周波数または、周波数及び受信したタイミングから移動端末装置２１がどのコンポーネントキャリアを受信しているか判定する。以後、移動端末装置２１と基地局装置１１とは、コンポーネントキャリアＤを用いて通信を行ない、位置登録に必要な処理を実施する。
シーケンスＳ３において、位置登録の処理を完了した基地局装置１１は、位置登録要求を送信した移動端末装置２１に対して位置登録応答を送信する。このとき、基地局装置１１は、位置登録要求の周波数等から判定したコンポーネントキャリアＤで位置登録応答を送信する。
【００５８】
シーケンスＳ４において、位置登録応答を受信した移動端末装置２１は、キャリアアグリゲーションの能力通知を基地局装置１１に送信する。具体的には、周波数帯域選択部２１２は、周波数帯域情報記憶部２４１から基地局装置１１が送信可能なコンポーネントキャリアの情報を読み出す。また、周波数帯域選択部２１２は、利用可能周波数情報記憶部２４２から自移動端末装置２１が利用可能なコンポーネントキャリアの情報を読み出す。周波数帯域選択部２１２は、読み出した両情報を比較する。そして、周波数帯域選択部２１２は、基地局装置１１が送信可能なコンポーネントキャリアのうち、利用可能周波数情報記憶部２４２が記憶する周波数領域に含まれるコンポーネントキャリアを示す情報を、キャリアアグリゲーション能力通知に含めて基地局装置１１に送信する。
【００５９】
シーケンスＳ５において、基地局装置１１は、移動端末装置２１にキャリアアグリゲーション能力応答を送信する。具体的には、基地局装置１１は、まず、移動端末装置２１により送信されたキャリアアグリゲーション能力通知から利用可能なコンポーネントキャリアを示す情報を読み出す。そして、基地局装置１１は、移動端末装置２１がキャリアアグリゲーションに利用する周波数としてアグリゲーション情報記憶部１４２に書き込む。また、基地局装置１１は、移動端末装置２１から送信されたキャリアアグリゲーションに利用可能なコンポーネントキャリアのうち、実際にキャリアアグリゲーションに利用するコンポーネントキャリアを決定してアグリゲーション情報記憶部１４２に書き込む。ここで、基地局装置１１が、移動端末装置２１から送信された利用可能なコンポーネントキャリアの全てをキャリアアグリゲーションに利用するようにしてもよい。また、基地局装置１１が、他の移動端末装置との通信状況等に応じて一部のコンポーネントキャリアのみを利用するようにしてもよい。
【００６０】
また、基地局装置１１は、コンポーネントキャリアがアグリゲーションに利用可能か否かを判定する為の閾値を設定する。基地局装置１１は、閾値ＣＣ−ｘ−Ｌと、閾値ＣＣ−ｘ−Ｈの２種類の閾値を設定する。閾値ＣＣ−ｘ−Ｌは、受信品質が劣化した場合に、そのコンポーネントキャリアをキャリアアグリゲーションに利用しないことを判定するための閾値である。閾値ＣＣ−ｘ−Ｈは、受信品質が良好である場合に、そのコンポーネントキャリアをキャリアアグリゲーションに利用するキャリアとして判定する為の閾値である。基地局装置１１は、周波数バンド毎に閾値ＣＣ−ｘ−Ｌ及びＣＣ−ｘ−Ｈを設定する。なお、基地局装置１１が、全てのコンポーネントキャリアに共通の閾値を設定するようにしてもよい。あるいは、基地局装置１１が、自基地局装置１１のエリアの電波状況に応じてコンポーネントキャリア毎に閾値を設定するようにしてもよい。例えば、ノイズの入りやすいコンポーネントキャリアは閾値を高く設定することで、ノイズ混入による通信失敗を事前に防止できる。
【００６１】
基地局装置１１は、設定した閾値を判定閾値記憶部１４４に移動端末装置のＩＭＳＩと対応付けて記憶する。アグリゲーション情報記憶部１４２と同様に、基地局装置１１がＩＭＳＩの代わりにＴＭＳＩまたはＭＳＩＤＳＮなどを記憶するようにしてもよい。閾値の設定を行った後、基地局装置１１は、コンポーネントキャリアＤを用いて移動端末装置２１にキャリアアグリゲーション能力応答を送信する。キャリアアグリゲーション能力応答は、移動端末装置２１への通信のキャリアアグリゲーションに実際に利用するコンポーネントキャリアを示す情報と、各コンポーネントキャリアの選択優先順位と受信品質判定のための閾値を示す情報とを含む。基地局装置１１は、周波数帯域情報記憶部１４１からコンポーネントキャリアの選択優先順位を読み出し、判定閾値記憶部１４４から閾値を読み出して、キャリアアグリゲーション能力応答に含めて送信する。
なお、基地局装置１１が選択優先順位を報知信号に含めて送信するようにしてもよい。この場合、移動端末装置２１の通信制御部２１３は、シーケンスＳ１において報知信号から選択優先順位を読み出して周波数帯域情報記憶部２４１に書き込む。これにより、基地局装置１１は、移動端末装置に個別に選択優先順位を送信する必要がないので、移動端末装置に個別に選択優先順位を送信する場合と比べて通信量を削減できる。
基地局装置１１と通信する移動端末装置の数が多い場合は、特に通信量を削減できる。
キャリアアグリゲーション能力応答を受信した移動端末装置２１の通信制御部２１３は、キャリアアグリゲーション能力応答から、キャリアアグリゲーションに実際に利用するコンポーネントキャリアを示す情報と、各コンポーネントキャリアの選択優先順位と受信品質判定のための閾値を示す情報とを読み出す。そして、通信制御部２１３は、周波数帯域情報記憶部２４１の利用可否の欄に、実際に利用するコンポーネントキャリアに対しては可を書き込み、それ以外のコンポーネントキャリアに対しては否を書き込む。また、通信制御部２１３は、読み出した選択優先順位を周波数帯域情報記憶部２４１に書き込み、読み出した閾値を判定閾値記憶部２４４に書き込む。
【００６２】
シーケンスＳ６において、受信品質測定部２１１は、受信部２５１−１〜２５１−３からの受信信号に基づいて、各コンポーネントキャリアＡ〜Ｅの受信品質を測定する。受信部２５１−１〜２５１−３は、各コンポーネントキャリアを同時に受信可能である。受信品質測定部２１１は、キャリアアグリゲーションで用いる各コンポーネントキャリアの受信品質を同時に測定する。周波数帯域選択部２１２は、判定閾値記憶部２４４から各コンポーネントキャリアの閾値ＣＣ−ｘ−Ｌ（ｘ＝Ａ〜Ｅ、以下同様）を読み出す。そして、周波数帯域選択部２１２は、受信品質が閾値ＣＣ−ｘ−Ｌを超えるコンポーネントキャリアのうち、選択優先順位が最も高いコンポーネントキャリアを選択する。図７の例においては、全てのコンポーネントキャリアが閾値以上の受信品質を有する。そして、コンポーネントキャリアＡとコンポーネントキャリアＢとが同じ選択優先順位なので、周波数帯域選択部２１２は、どちらか一方を選択する。同じアグリゲーションレベルのコンポーネントキャリアでは、特定のコンポーネントキャリアに各移動端末装置のアンカーキャリアが偏らないよう、移動端末装置毎にいずれかのコンポーネントキャリアを選択する。図７の例では、周波数帯域選択部２１２は、コンポーネントキャリアＢを選択する。
【００６３】
また、移動端末装置２１は、このコンポーネントキャリアＢをアンカーキャリアとして使用する。具体的には、周波数帯域選択部２１２は、アンカーキャリア情報記憶部２４３にコンポーネントキャリアＢを書き込む。このように、移動端末装置２１は、受信品質が閾値ＣＣ−ｘ−Ｌ以上のコンポーネントキャリアのうち、選択優先順位が最も高いコンポーネントキャリアをアンカーキャリアとして使用する。上述のように条件を満たすコンポーネントキャリアが複数ある場合は、移動端末装置２１がアンカーキャリアとして使用するコンポーネントキャリアを選択する。移動端末装置２１は、受信レベルに基づいて、あるいはランダムに選択することにより、アンカーキャリアとして使用するコンポーネントキャリアを選択する。
シーケンスＳ７において、通信制御部２１３は、送信部２６１を介して、決定したアンカーキャリアをアンカーキャリア変更要求にて基地局装置１１に送信する。このアンカーキャリア変更要求は、周波数帯域選択部２１２が選択したコンポーネントキャリアＢを示す信号である。
なお、受信部２５１−１〜２５１−３が、アンカーキャリアとして使用するコンポーネントキャリアの信号を受信可能な状態にない場合は、通信制御部２１３は、受信可能な状態になるように受信部２５１−１〜２５１−３を設定する。
【００６４】
図８は、アンカーキャリア変更要求のデータ構成を示すデータ構成図である。図８において、アンカーキャリア変更要求は、ヘッダと、コンポーネントキャリア識別子とを含む。ヘッダは、この信号がアンカーキャリア変更要求であることを示す。コンポーネントキャリア識別子は、移動端末装置２１がアンカーキャリアとして用いるコンポーネントキャリアを特定する為のコンポーネントキャリア識別子である。
【００６５】
図７に戻って、通信制御部２１３が送信部２６１を介してアンカーキャリア変更要求を送信すると、基地局装置１１の受信部１６１は、送信されたアンカーキャリア変更要求を受信する。そして、制御部１０１は、アンカーキャリア変更要求にて通知された新しいアンカーキャリアであるコンポーネントキャリアＢを各端末アンカーキャリア情報記憶部１４３に書き込む。また、制御部１０１は、周波数帯域情報記憶部１４１からコンポーネントキャリアＢの選択優先順位「１」を読み出す。制御部１０１は、読み出した選択優先順位に従い、アグリゲーション情報記憶部１４２に「レベル１」を書き込む。
シーケンスＳ８において、基地局装置１１は、アンカーキャリア変更応答を移動端末装置２１に対して送信する。基地局装置１１は、移動端末装置２１がアンカーキャリアとして通知したコンポーネントキャリアＢでアンカーキャリア変更応答を送信する。
【００６６】
シーケンスＳ９において、アンカーキャリア変更応答を受信した移動端末装置２１は、待ち受け状態に移行する。なお、アンカーキャリア変更応答が受信できない場合は、通信制御部２１３は、アンカーキャリア変更要求を再送し、アンカーキャリア変更応答を待つ。所定の回数繰り返してもアンカーキャリア応答通知が受信できない場合は、移動端末装置２１は、再度、位置登録から処理を繰り返す。ただし、既にコンポーネントキャリアＢをアンカーキャリアとして利用可能と判定済みなので、移動端末装置２１は、コンポーネントキャリアＢで位置登録要求を行う。以下、移動端末装置２１は、上記と同様に位置登録応答を受信し、キャリアアグリゲーション能力通知を行い、キャリアアグリゲーション能力応答を受信する。この場合は、既にコンポーネントキャリアＢが選択されているので、移動端末装置２１は、アンカーキャリア変更要求を行わず、キャリアアグリゲーション能力応答受信後は待ち受け状態に移行する。
【００６７】
待ち受け状態では、移動端末装置２１は、アンカーキャリアのみを起動する。移動端末装置２１への着信があった場合は、基地局装置１１は、アンカーキャリアの制御情報で通知する。また、移動端末装置２１が発信処理を行う場合も、移動端末装置２１は、アンカーキャリアに対応するアップリンクで基地局装置１１に接続する。図７の例では、アンカーキャリアはコンポーネントキャリアＢとなっている。そのため、移動端末装置２１は、ユーザーの操作によりパケット通信要求が発生すると（シーケンスＳ１０）、コンポーネントキャリアＢに対応するアップリンクでパケット接続要求を送信する（シーケンスＳ１１）。ここでいうパケット通信要求とは、インターネットの閲覧など、基地局装置１１から移動端末装置２１へのデータ（以下、ユーザーデータともいう）の送信を要求するユーザーの操作入力を移動端末装置２１が受け付けた状態である。
【００６８】
シーケンスＳ１２において、基地局装置１１は、パケット接続の準備が整うとパケット接続応答を送信する。パケット接続応答を送信した後、シーケンスＳ１３において、基地局装置１１は、コンポーネントキャリアＡ〜Ｅを用いて、キャリアアグリゲーションを行ってユーザーデータを送信する。具体的には、制御部１０１は、アグリゲーション情報記憶部１４２からキャリアアグリゲーションに用いるコンポーネントキャリアの情報とアグリゲーションレベルの情報とを読み出す。また、制御部１０１は、周波数帯域情報記憶部１４１から、各コンポーネントキャリアの選択優先順位を読み出す。送信部１５１−１〜１５１−３は、キャリアアグリゲーションに用いるコンポーネントキャリアのうち、選択優先順位が上記のアグリゲーションレベル以下のコンポーネントキャリアを用いてユーザーデータを送信する。
【００６９】
図７の例では、アグリゲーションレベル情報は「レベル１」である。また、コンポーネントキャリアＡ〜Ｅは、全て選択優先順位が「１」またはそれよりも低い。従って、基地局装置１１の送信部１５１−１〜１５１−３は、コンポーネントキャリアＡ〜Ｅを用いてユーザーデータを送信する。一方、通信プロトコルの制御に利用するコントロールデータについては、基地局装置１１は、アンカーキャリアで送信する。また、移動端末装置２１の通信制御部２１３は、周波数帯域情報記憶部２４１から利用可能なコンポーネントキャリアとその選択優先順位とを読み出し、アンカーキャリア情報記憶部２４３からアンカーキャリアを読み出す。通信制御部２１３は、利用可能なコンポーネントキャリアのうち、選択優先順位がアンカーキャリアの選択優先順位と同じまたはそれより低いコンポーネントキャリアからユーザーデータを受信するよう受信部２５１−１〜２５１−３を制御する。図７の例では、アンカーキャリアＢの選択優先順位は「１」であり、選択優先順位が「１」またはそれより低いコンポーネントキャリアＡ〜Ｅからユーザーデータを受信するよう制御する。このアンカーキャリアＢは、シーケンスＳ６において周波数帯域選択部２１２が選択したコンポーネントキャリアである。したがって、通信制御部２１３は、利用可能なコンポーネントキャリアのうち、周波数帯域選択部２１２が選択したコンポーネントキャリアＢと同じ選択優先順位のコンポーネントキャリアＡとＢ、及び、それよりも選択優先順位の低いコンポーネントキャリアＣとＤとＥとを用いて送信されたデータを受信するよう受信部２５１−１〜２５１−３を制御する。
【００７０】
そして、受信データ結合部２１４は、受信部２５１−１〜２５１−３が全てのコンポーネントキャリアから受信して復調したデータを結合してユーザーデータを復元する。これにより、高速にデータ通信を行うことができる。ユーザーデータの送受信が完了し、パケット通信を切断する場合は、通信制御部２１３は、送信部２６１を介してパケット接続の解放要求を送信する（シーケンスＳ１４）。基地局装置１１は、パケット接続解放応答を移動端末装置２１に対して送信するシーケンスＳ１５）。以後、基地局装置１１と移動端末装置２１とは、コンポーネントキャリアＢのみを用いて通信プロトコルを示すコントロールデータの送受信を行う。
【００７１】
図９は、移動端末装置２１が待ち受け中にアンカーキャリアの更新を行う手順を示すシーケンス図である。
シーケンスＳ２１において、移動端末装置２１は、アンカーキャリアであるコンポーネントキャリアＢで待ち受けを行っている。シーケンスＳ２２において、受信品質測定部２１１は、アンカーキャリアの受信品質を定期的に測定する。コンポーネントキャリアＢはアグリゲーションレベルが最大のコンポーネントキャリアであるため、受信品質が閾値ＣＣ−Ｂ−Ｈを超えてもアグリゲーションレベル及びアンカーキャリアは変更されない。このため、周波数帯域選択部２１２は、閾値ＣＣ−Ｂ−Ｈを超えるかどうかの判定は行わない。周波数帯域選択部２１２は、判定閾値記憶部２４４から閾値ＣＣ−Ｂ−Ｌを読み出し、アンカーキャリアの受信品質が閾値ＣＣ−Ｂ−Ｌより低いかどうかを判定する。閾値ＣＣ−Ｂ−Ｌよりも受信品質がよければ、受信品質測定部２１１は、受信品質の測定を完了する。図９の例では、待ち受け開始時（シーケンスＳ２１）にはコンポーネントキャリアＢが十分な受信品質を有する。それに対し、シーケンスＳ２２においては、アンカーキャリア（コンポーネントキャリアＢ）の受信品質がＣＣ−Ｂ−Ｌよりも低い状態に遷移している。
この受信品質の遷移は、例えば、移動端末装置２１の移動や、移動端末装置２１と基地局装置１１との間の伝搬路状況の変化によって生じる。
【００７２】
シーケンスＳ２３において、通信制御部２１３は、ひとつ下のアグリゲーションレベルであるコンポーネントキャリアＣ及びＤの受信部２５１−２を起動する。
シーケンスＳ２４において、受信品質測定部２１１は、基地局装置１１がコンポーネントキャリアＣ及びＤにて送信する同期信号や参照信号等を用いてコンポーネントキャリアＣ及びＤの受信品質を測定する。受信品質測定部２１１が測定したコンポーネントキャリアＣの受信品質が閾値ＣＣ−Ｃ−Ｌを超える場合またはコンポーネントキャリアＤの受信品質が閾値ＣＣ−Ｄ−Ｌを超える場合、周波数帯域選択部２１２は、いずれかのコンポーネントキャリアにアンカーキャリアを変更する。図９の例では、周波数帯域選択部２１２は、コンポーネントキャリアＣをアンカーキャリアとして選択する。周波数帯域選択部２１２は、変更後のアンカーキャリアであるコンポーネントキャリアＣのキャリア名を、アンカーキャリア情報記憶部２４３に書き込む。
【００７３】
シーケンスＳ２５において、通信制御部２１３は、アンカーキャリアをコンポーネントキャリアＣに変更するアンカーキャリア変更要求を、コンポーネントキャリアＢに対応するアップリンクを用いて基地局装置１１に送信する。ここで、元のアンカーキャリアであるコンポーネントキャリアＢ、及び受信品質を測定したコンポーネントキャリアＣ及びＤはデータ受信可能な状態にある。以下、アンカーキャリアであるコンポーネントキャリアＸのことを、アンカーキャリアＸとも称する。
シーケンスＳ２６において、アンカーキャリア変更要求を受信した基地局装置１１は、変更後のアンカーキャリアであるコンポーネントキャリアＣを各端末アンカーキャリア情報記憶部１４３に書き込む。また、基地局装置１１は、周波数帯域情報記憶部１４１からコンポーネントキャリアＣのキャリアアグリゲーションレベルを読み出す。基地局装置１１は、読み出したアグリゲーションレベルであるレベル２をアグリゲーション情報記憶部１４２に書き込む。これらの処理が完了すると、基地局装置１１は、新しいアンカーキャリアであるコンポーネントキャリアＣでアンカーキャリア変更応答を送信する。移動端末装置２１は、コンポーネントキャリアＣでアンカーキャリア変更応答を受信する。
【００７４】
シーケンスＳ２７において、アンカーキャリア変更応答を受信した移動端末装置２１の通信制御部２１３は、アンカーキャリア以外のコンポーネントキャリアＢ及びＤの受信を停止する。そして、通信制御部２１３は、コンポーネントキャリアＣで着信の待ち受け及び、基地局装置１１からのコントロールデータの受信を行う。
シーケンスＳ２８において、受信品質測定部２１１は、アンカーキャリアＣの受信品質の定期的な測定を開始する。コンポーネントキャリアＣはアグリゲーションレベルが「レベル２」なので、周波数帯域選択部２１２は、閾値ＣＣ−Ｃ−Ｈと閾値ＣＣ−Ｃ−Ｌの両方と、測定された受信品質との比較を行う。受信品質が閾値ＣＣ−Ｃ−Ｈより低く、閾値ＣＣ−Ｃ−Ｌより高ければ、移動端末装置２１は、そのままコンポーネントキャリアＣをアンカーキャリアとして使用する。
【００７５】
シーケンスＳ２９において、ユーザー操作によりパケット通信の要求が発生した移動端末装置２１の通信制御部２１３は、シーケンスＳ３０において基地局装置１１に対してパケット接続要求を送信する。シーケンスＳ３１において、パケット接続の準備が整った基地局装置１１は、移動端末装置２１に対してパケット接続応答を送信する。
基地局装置１１からパケット接続応答を受信すると、通信制御部２１３はアグリゲーションレベルが「レベル２」以下のコンポーネントキャリアでの受信が可能なように、受信部２５１−２〜３を起動する。シーケンスＳ３２において、基地局装置１１と移動端末装置２１とは、図７のシーケンスＳ１３と同様にして、コンポーネントキャリアＣ、Ｄ、Ｅを用いて、キャリアアグリゲーションを行い、ユーザーデータを通信する。基地局装置１１は、ユーザーデータを「レベル２」以下のコンポーネントキャリアで送信する。移動端末装置２１は、基地局装置１１が送信するユーザーデータを受信して復調する。これにより高速にデータ転送を行うことができる。シーケンスＳ３３において、パケット通信が完了すると、通信制御部２１３は、アンカーキャリアＣでパケット接続解放要求を送信する。基地局装置１１は、パケット接続解放要求を受信すると、パケットの受信を終了し、シーケンスＳ３３において移動端末装置２１にパケット接続解放応答を送信する（シーケンスＳ３４）。以上の処理により、パケット通信が完了し、移動端末装置２１は、再び待ち受け状態となる。
【００７６】
図１０は、移動端末装置２１がアンカーキャリアを選択優先順位の高いコンポーネントキャリアに変更する処理手順の例を示すシーケンス図である。前述したように、受信品質測定部２１１は、コンポーネントキャリアの待ち受け中に（シーケンスＳ４１）、定期的にアンカーキャリア（例えば、コンポーネントキャリアＣ）の受信品質を測定する（シーケンスＳ４２）。周波数帯域選択部２１２は、判定閾値記憶部２４４から読み出す閾値と受信品質とを比較する。図１０の例では、受信品質測定部２１１は、コンポーネントキャリアＣの受信品質を測定する。周波数帯域選択部２１２は、受信品質が閾値ＣＣ−Ｃ−Ｈを上回るかどうか、および閾値ＣＣ−Ｃ−Ｌを下回るかどうかを判定する。閾値ＣＣ−Ｃ−Ｌより受信品質が高く、かつ閾値ＣＣ−Ｃ−Ｈより受信品質が低い場合は、周波数帯域選択部２１２は、アンカーキャリアを変更せず、以後も受信品質測定部２１１が定期的に受信品質の測定を行う。移動端末装置２１は、予め定められた一定の間隔でアンカーキャリアの受信品質を測定する。なお、移動端末装置２１が自移動端末装置の移動速度を測定する機能を具備し、移動速度が遅い場合には測定間隔を長くし、移動速度が速い場合は測定間隔を短くするようにしてもよい。移動端末装置２１の移動速度が速い場合は、移動速度が遅い場合よりも、基地局装置からの距離の変化が大きいために受信品質が変化し易い。この場合に、測定間隔を短くすることにより、より適切な間隔で測定を行うことが出来る。
【００７７】
また、移動端末装置２１が基地局装置１１からの指示に従って測定間隔を変更するようにしてもよい。例えば、各基地局装置１１が、自基地局装置が設置されている環境に応じた測定間隔を予め記憶し、その測定間隔を報知情報または個別の無線プロトコルの制御データとして移動端末装置２１に送信する。移動端末装置２１は、基地局装置１１から送信される測定間隔を受信すると、受信した測定間隔に従って受信品質の測定を行う。これにより、移動端末装置２１は、基地局装置１１の設置環境に応じた適切な測定間隔で受信品質を測定することが出来る。
また、基地局装置１１が、無線プロトコル制御の状況に応じて受信品質の測定間隔を変更するようにしてもよい。例えば、移動端末装置２１から報告される各コンポーネントキャリアの受信品質が全てよい場合は、基地局装置１１は、測定間隔を所定値よりも長く設定し、それ以外の場合は測定間隔を所定値よりも短く設定する。これにより、移動端末装置２１は、基地局装置１１の設置環境に応じた適切な測定間隔で受信品質を測定することが出来る。
また、基地局装置１１が、自基地局装置のユーザー収容数が少ない間は測定間隔を所定値よりも短くして受信品質が変化した場合に早く測定できるようにしてもよい。そして、自基地局装置のユーザー収容数が所定数よりも増えた場合は、測定間隔を長くして無線プロトコルのオーバーヘッドを削減するようにしてもよい。
なお、基地局装置１１は、測定間隔を変更した場合は、移動端末装置ごとの制御情報で移動端末装置に送信する。あるいは、基地局装置１１は、報知情報の値を変更し、ページングにより移動端末装置に測定間隔の変更を送信する。
【００７８】
コンポーネントキャリアＣの受信品質を測定した結果、閾値Ｆ２−Ｈ（＝ＣＣ−Ｃ−Ｈ）を上回る場合は、周波数帯域選択部２１２は、アンカーキャリアの変更可否を判定する。通信制御部２１３は、周波数帯域情報記憶部２４１からアグリゲーションレベルを読み出す。そして、通信制御部２１３は、アグリゲーションレベルがひとつ上のコンポーネントキャリアである、コンポーネントキャリアＡ及びＢの受信部２５１−１を起動する（シーケンスＳ４３）。そして、受信品質測定部２１１は、コンポーネントキャリアＡ及びＢそれぞれの受信品質を測定し（シーケンスＳ４４）、受信品質が「レベル１」のコンポーネントキャリアの閾値Ｆ１−Ｌ（＝ＣＣ−Ａ−Ｌ＝ＣＣ−Ｂ−Ｌ）を上回るかどうかを判定する。この閾値Ｆ１−Ｌを超えていなければ、移動端末装置２１は、コンポーネントキャリアＡ及びＢの受信部２５１−１を停止し、アンカーキャリアのコンポーネントキャリアＣで、引き続き受信品質の測定を継続する。
閾値ＣＣ−Ａ−Ｌを超えている場合は、周波数帯域選択部２１２は、アンカーキャリアの変更の処理を行う。図１０の例では、待ち受け中に受信品質が閾値ＣＣ−Ａ−Ｌを超えた状態に遷移している。この場合、周波数帯域選択部２１２は、通信制御部２１３にアンカーキャリア変更要求を入力する。ステップＳ４５において、通信制御部２１３は、送信部２６１を介してアンカーキャリア変更要求を基地局装置１１に送信する。
【００７９】
シーケンスＳ４６において、アンカーキャリア変更要求を受信した基地局装置１１は、受信したアンカーキャリア変更要求から変更後のアンカーキャリアのコンポーネントキャリアを読み出す。基地局装置１１は、読み出したコンポーネントキャリアにアンカーキャリアを各端末アンカーキャリア情報記憶部１４３に移動端末装置２１のＩＭＳIと対応付けて書き込む。基地局装置１１は、変更後のアンカーキャリアで移動端末装置２１にアンカーキャリア変更応答を送信する。
シーケンスＳ４７において、アンカーキャリア変更応答を受信した移動端末装置２１の制御部２０１は、アンカーキャリア情報記憶部２４３に変更後のアンカーキャリアであるコンポーネントキャリアＡを書き込む。そして、制御部２０１は、アンカーキャリアをコンポーネントキャリアＣからコンポーネントキャリアＡに変更する。そして、移動端末装置２１の通信制御部２１３は、コンポーネントキャリアＢ及びＣの受信処理を停止する。以後、移動端末装置２１は、コンポーネントキャリアＡで待ち受けを行う。そして、シーケンスＳ４８において、移動端末装置２１は、コンポーネントキャリアＡの受信品質の定期的な測定を開始する。また、移動局端末装置２１で、パケット通信要求が発生した場合であって（シーケンスＳ４９）、基地局装置１１と通信を行う場合は（シーケンスＳ５０〜Ｓ５４）、図７のシーケンスＳ１１〜Ｓ１５と同様に、基地局装置１１及び移動端末装置２１は、アグリゲーションレベルが「レベル１」以下のコンポーネントキャリアで通信を行う。これにより、データの送信において多くの周波数帯域を用いることが出来る。
【００８０】
図１１は、移動端末装置２１が通信中にアンカーキャリアを変更する処理手順の例を示すシーケンス図である。図７から図１０では図示していないが、移動端末装置２１は、通信中もアンカーキャリアの判定処理を行う。パケット通信の要求が発生すると、そのときのアンカーキャリアに合わせてキャリアアグリゲーションによる通信を開始する。
シーケンスＳ６１において、移動端末装置２１は、アグリゲーションレベルが「レベル２」であるコンポーネントキャリアＤをアンカーキャリアとしている。
シーケンスＳ６２において、ユーザーの操作によって移動端末装置２１にパケット通信要求が発生すると、シーケンスＳ６３において、通信制御部２１３は、基地局装置１１にパケット接続要求を送信する。
シーケンスＳ６４において、基地局装置１１は、パケット接続準備を行い、パケット接続準備完了後にパケット接続応答を送信する。
【００８１】
シーケンスＳ６５において、移動端末装置２１及び基地局装置１１は、図７のシーケンスＳ１３と同様にキャリアアグリゲーションによる通信を開始する。ここでは移動端末装置２１のアンカーキャリアはＤであり、アグリゲーションレベルは「レベル２」なので、アグリゲーションレベルが「レベル２」以下のコンポーネントキャリアＣ、Ｄ、Ｅを用いてキャリアアグリゲーションによる通信を開始する。パケット通信中も受信品質測定部２１１は、定期的にアンカーキャリアの受信品質を測定する。
シーケンスＳ６６において、アンカーキャリアＤの受信品質が閾値ＣＣ−Ｄ−Ｌを下回った場合は、受信品質測定部２１１は、アグリゲーションレベルが「レベル３」のコンポーネントキャリアＥの受信品質を測定する。
【００８２】
シーケンスＳ６７において、周波数帯域選択部２１２は、コンポーネントキャリアＥの受信品質が閾値ＣＣ−Ｅ−Ｌを上回るかどうか判定する。受信品質が上回った場合は、周波数帯域選択部２１２は、アンカーキャリアをコンポーネントキャリアＥに変更する。コンポーネントキャリアＥの受信品質がＣＣ−Ｅ−Ｌより低い場合は、受信品質測定部２１１がさらに低いアグリゲーションレベルのコンポーネントキャリアの受信品質を測定し、周波数帯域選択部２１２がアンカーキャリアを選択する。ただし、図１１の例では「レベル３」より低い受信レベルのコンポーネントキャリアは存在しないため、受信品質がＣＣ−Ｅ−Ｌより低い場合であっても、周波数帯域選択部２１２は、コンポーネントキャリアＥにアンカーキャリアを変更する。また、コンポーネントキャリアＥにおいても受信品質が低い場合、基地局装置１１よりも良好に受信できる基地局装置があれば、移動端末装置２１は、その基地局装置にセル移動を行う。図１１の例では、コンポーネントキャリアＥがＣＣ−Ｅ−Ｌより受信品質が良いので、周波数帯域選択部２１２は、アンカーキャリアの変更の処理を行う。
【００８３】
シーケンスＳ６８において、通信制御部２１３は、送信部２６１を介して、アンカーキャリアＤにおいてアンカーキャリア変更要求を送信する。
シーケンスＳ６９において、アンカーキャリア変更要求を受けた基地局装置１１は、アンカーキャリアを変更する準備を行い、アンカーキャリア変更応答を移動端末装置２１に送信する。基地局装置１１は、アンカーキャリア変更応答に、変更を行うタイミング情報を含めて送信する。タイミング情報は、特定のデータを受信後のタイミングを示し、基地局装置１１及び移動端末装置２１は、このデータ送受信後すぐにアンカーキャリア変更を行う。通信制御部２１３は、アンカーキャリア変更応答を受信すると実施タイミングを確認し、それまでは、現在のコンポーネンキャリアでキャリアアグリゲーションを継続する。指定のタイミングは、フレーム番号などで通知される。通信制御部２１３は、指定されたフレーム番号になると、新しいアンカーキャリアでの動作に変更する。アグリゲーションレベルが「レベル３」以下のコンポーネントキャリアは、コンポーネントキャリアＥのみとなる。そのため、通信制御部２１３は、コンポーネントキャリアＥ単独での通信を行う。通信制御部２１３は、指定のフレームのタイミングを過ぎると、コンポーネントキャリアＣ及びＤの受信部２５１−２を停止する（シーケンスＳ７０）。以後、移動端末装置２１は、コンポーネントキャリアＥにて基地局装置１１と通信を行い（シーケンスＳ７１）、コンポーネントキャリアＥの受信品質を定期的にチェックする。移動端末装置２１は、コンポーネントキャリアＤの受信品質を測定する（シーケンスＳ７２）。コンポーネントキャリアＤが閾値Ｌ３−Ｈを上回る受信品質となった場合、アグリゲーションレベルが「レベル２」となる、コンポーネントキャリアＣ及びＤの受信部２５１−２を起動し（シーケンスＳ７３）、コンポーネントキャリアＣ及びＤの受信品質を測定する（シーケンスＳ７４）。
シーケンスＳ７５において、測定した受信品質が判定閾値記憶部２４４から読み出す閾値を超える場合は、通信制御部２１３は、送信部２１６を介してアンカーキャリア変更要求を基地局装置１１に送信する。そして、シーケンスＳ７６において、移動端末装置２１は、アンカーキャリア変更応答を受信する。アンカーキャリア変更応答で指定されたタイミングになると、通信制御部２１３は、コンポーネントキャリアＣ、Ｄ、Ｅを用いて、新しいアンカーキャリアに応じたキャリアアグリゲーションの通信を行う（シーケンスＳ７７）。図１１では、移動端末装置２１は、コンポーネントキャリアＣ、Ｄ、Ｅを用いて、基地局装置１１と、キャリアアグリゲーションの通信を行っている。
そして、移動端末装置２１は、パケット通信停止要求が発生した場合には（シーケンスＳ７８）、パケット接続解放要求を、コンポーネントキャリアＤの基地局装置１１に送信する（シーケンスＳ７９）。これに応答して、コンポーネントキャリアＤの基地局装置１１は、パケット接続解放応答を、移動端末装置２１に送信する（シーケンスＳ８０）。
以上の処理により、通信中であっても適切なコンポーネントキャリアを選択し、キャリアアグリゲーションを行うことができる。また、受信状態が良くないコンポーネントキャリアは、動作を停止するので消費電力を削減できる。
【００８４】
以上のように、移動端末装置２１が１個のコンポーネントキャリア識別子を基地局装置１１に送信する。そして、基地局装置１１は、そのコンポーネントキャリア識別子と選択優先順位に応じてキャリアアグリゲーションを行うコンポーネントキャリアを決定する。そのため、例えば全てのコンポーネントキャリアの受信品質を通信する場合よりも少ない通信量でキャリアアグリゲーションを行うコンポーネントキャリアを決定できる。
なお、基地局装置１１が移動端末装置毎に選択優先順位を設定するようにしてもよい。例えば、移動端末装置２１が位置検出部を具備し、基地局装置１１に現在位置を送信する。基地局装置１１は、移動端末装置の位置に応じた選択優先順位を周波数帯域情報記憶部１４１に予め記憶する。制御部１０１は、移動端末装置２１の現在位置に応じた選択優先順位を、周波数帯域情報記憶部１４１から読み出すことにより移動端末装置２１との間で用いる選択優先順位を決定する。基地局装置１１の送信部１５１−ｉ（ｉ＝１〜３）は、決定した選択優先順位を示す信号を、移動端末装置２１に送信する。移動端末装置２１の受信部２５１−ｉ（ｉ＝１〜３）がこの信号を受信すると、通信制御部２１３は、受信した信号から選択優先順位を読み出して周波数帯域情報記憶部２４１に書き込む。図７のシーケンスＳ６において、周波数帯域選択部２１２は、周波数帯域情報記憶部２４１からこの選択優先順位を読み出す。そして、周波数帯域選択部２１２は、受信品質が閾値以上であるコンポーネントキャリアの中から選択優先順位が最も高いコンポーネントキャリアを選択する。
これにより、例えば、特定のコンポーネントキャリアにノイズが発生し易い場所に移動端末装置２１が位置する場合には、そのコンポーネントキャリアの選択優先順位を高くする。これにより、より適切な選択優先順位を用いてキャリアアグリゲーションを行うコンポーネントキャリアを選択することが出来る。
なお、移動端末装置２１は、通信中と待ち受け中とで異なる閾値を用いるようにしてもよい。また、通信中は移動端末装置２１が受信品質としてチャネル品質情報を測定するようにしてもよい。例えば、移動端末装置２１の待ち受け中のほうが移動中よりも、基地局装置１１との周波数同期の精度が低下する場合は、待ち受け中のほうが、受信品質が低く検出される。このような場合に、移動端末装置２１が通信中と待ち受け中とで閾値あるいは受信品質の測定方法を変更することにより、移動端末装置２１の状態に応じた判定を行うことができる。
【００８５】
第１の実施形態による無線通信システム１（図１）は、移動端末装置２１〜２３（図２）と、基地局装置１１（図４）とを備える。
移動端末装置２１〜２３（図２）は、受信部２７１−１〜２７１−３、周波数帯域情報記憶部２４１、アンカーキャリア情報記憶部２４３、送信部２６１、通信制御部２１３を備える。
受信部２７１−１〜２７１−３は、複数の周波数帯域の無線信号を、基地局装置１１から受信する。
周波数帯域情報記憶部２４１は、周波数帯域の選択優先順位を記憶する。
アンカーキャリア情報記憶部２４３は、周波数帯域の受信品質が最低受信品質レベルを示す閾値以上で、かつ選択優先順位が最も高い周波数帯域を示す情報を記憶する。
送信部２６１は、アンカーキャリア情報記憶部２４３に記憶された情報を、基地局装置１１に送信する。
通信制御部２１３は、アンカーキャリア情報記憶部２４３に記憶された情報の周波数帯域と、アンカーキャリア情報記憶部２４３に記憶された情報の周波数帯域よりも優先選択順位の低い周波数帯域とを用いて送信されたデータを受信するように受信部２７１−１〜２７１−３を制御する。
基地局装置１１（図４）は、受信部１６１、送信部１５１−１〜１５１−３を備える。
受信部１６１は、移動端末装置２１〜２３が送信する情報を受信する。
送信部１５１−１〜１５１−３は、受信部１６１が受信した情報に基づいて、優先順位がもっとも高い周波数帯域と、優先順位がもっとも高い周波数帯域よりも優先選択順位の低い周波数帯域とを用いてデータを並行して、移動端末装置２１〜２３に送信する。
【００８６】
なお、第１の実施形態による無線通信システム１において、閾値は、周波数帯域毎に異なっていてもよい。
【００８７】
また、第１の実施形態による無線通信システム１において、選択優先順位は、受信品質が良好であると期待される周波数帯域ほど順位が低くてもよい。
【００８８】
また、第１の実施形態による無線通信システム１において、選択優先順位は、中心周波数が低い周波数帯域ほど順位が低くてもよい。
【００８９】
また、第１の実施形態による無線通信システム１において、選択優先順位は、中心周波数が低い周波数帯域であっても良好な受信品質が期待できないときは、中心周波数の高い他の周波数帯域よりも順位が高くてもよい。
【００９０】
また、第１の実施形態による無線通信システム１において、基地局装置１１の送信部１５１−１〜１５１−３は、選択優先順位が最も高い周波数帯域をアンカーキャリアとして用いて、複数の周波数帯域の制御情報をアンカーキャリアにまとめて送信するようにしてもよい。
【００９１】
また、第１の実施形態による無線通信システム１において、基地局装置１１の送信部１５１−１〜１５１−３は、選択優先順位が最も低い周波数帯域をアンカーキャリアとして用いて、複数の周波数帯域の制御情報をアンカーキャリアにまとめて送信するようにしてもよい。
【００９２】
また、第１の実施形態による無線通信システム１において、移動局装置２１〜２３の通信制御部２１３は、選択優先順位が最も高い周波数帯域の受信品質が受信品質の良好であることを示す閾値以上である場合は、選択優先順位がより高い周波数帯域を選択優先順位が最も高い周波数帯域に変更するようにしてもよい。
【００９３】
また、第１の実施形態による無線通信システム１において、基地局装置１１の送信部１７１−１〜１７１−３は、移動局装置２１〜２３に共通の報知信号に選択優先順位を含めて送信するようにしてもよい。
【００９４】
また、第１の実施形態による無線通信システム１において、選択優先順位は、複数の周波数帯域に同一の順位が付けられていてもよい。
【００９５】
第１の実施形態による無線通信システム１を用いれば、キャリアアグリゲーションを行うコンポーネントキャリアをより少ない通信量で決定できる。
【００９６】
＜第２の実施形態＞
図１２は、第２の実施形態における無線通信システム２のシステム構成の概略を示す構成図である。図１２において、無線通信システム２は、基地局装置１２と、移動端末装置２６とを含む。なお、第２の実施形態における基地局装置１２および移動端末装置２６の構成は、それぞれ図２の基地局装置１１および図４の移動端末装置２１と同様であるため、図示および説明を省略する。ただし、基地局装置１２が信号を無線送信する際の送信電力が、基地局装置１１と異なる。基地局装置１２における送信電力については後述する。また、移動端末装置２６は、受信品質を判定する閾値の値が移動端末装置２１と異なる。移動端末装置２１が各コンポーネントキャリアに共通の閾値を用いてもよいのに対し、後述するように、移動端末装置２６は、周波数バンド毎に異なる閾値を用いる。
第１の実施形態の基地局装置１１と異なり、都市部のように、携帯電話の利用台数が多い場所では、基地局装置を多数設置することで収容能力を確保する為、基地局装置のサービスエリアが小さくなる。このため、基地局装置は、キャリアアグリゲーションに利用する各コンポーネントキャリアを最大の送信電力ではなく、サービスエリア全体をカバーし、かつ、他の基地局装置への干渉とならない送信電力に調整して送信する。このため、コンポーネントキャリアＡ〜Ｅの各コンポーネントキャリアのサービスエリアは、図１２のエリアａｒ２１に示されるように全て同じ大きさとなる。
【００９７】
図１３は、基地局装置１２の各コンポーネントキャリアの送信電力の状態を示すグラフである。図１３において、横軸は、移動端末装置２６の基地局装置１２からの距離を示している。また、縦軸は、基地局装置１２から移動端末装置２６に送信する信号の送信電力を示している。基地局装置１２は、周波数バンドＦ１では２つのコンポーネントキャリアＡとコンポーネントキャリアＢで通信を行い、これらの２つの周波数帯域は隣接している。基地局装置１２がコンポーネントキャリアＡとコンポーネントキャリアＢで通信を行う場合の特性を、図１３の曲線ｇ１１で示す。同様に基地局装置１２は、周波数バンドＦ２ではコンポーネントキャリアＣとＤで通信を行う。基地局装置１２がコンポーネントキャリアＣとコンポーネントキャリアＤで通信を行う場合の特性を、図１３の曲線ｇ１２で示す。さらに基地局装置１２は、周波数バンドＦ３ではコンポーネントキャリアＥで通信を行う。基地局装置１２がコンポーネントキャリアＥで通信を行う場合の特性を、図１３の曲線ｇ１３で示す。周波数は、Ｆ１＞Ｆ２＞Ｆ３となっている。周波数Ｆ１は、周波数が最も高い為、距離による減衰が大きい。このためサービスエリアをカバーする為には、他の周波数バンドに比べて高い送信電力が必要となる。以下、周波数が低くなるにつれて距離減衰が小さくなるので、隣接する基地局装置との干渉が発生しないように、基地局装置１２は、より低い送信電力でサービスエリアをカバーする。ただし、都市部においては、ビル、家屋などの建造物が多い。そのため、例えば屋内等で使用する場合、低い周波数の方が回折、反射などの影響により、高い周波数帯域よりも受信品質がよい傾向がある。このため、基地局装置１２は、周波数が高い周波数バンドほど閾値を大きく設定する。これにより、移動端末装置２６は、基地局装置１２からの距離が離れた場合は、早めに低い周波数のコンポーネントキャリアに切り替える。
第２の実施形態においても第１の実施形態と同様に、周波数が低いほど受信品質が良好であることが期待される。そこで、選択優先順位を周波数が低いほど低いようにしている。
【００９８】
図１４は、移動端末装置２６を起動して、基地局装置１２と通信を行う処理手順の例を示すシーケンス図である。動作は第１の実施形態の場合と同様である。しかし、市街地では基地局装置での収容端末が多く、移動端末装置のアンカーキャリアが特定のコンポーネントキャリアに集中する場合がある。そのような場合に、無線プロトコルのリソースを分散させるため、基地局装置１２は、アンカーキャリアを変更する。
図１４のシーケンスＳ１０１〜Ｓ１０５は、図７のシーケンスＳ１〜Ｓ５と同様である。
シーケンスＳ１０６において、受信品質測定部２１１は、各コンポーネントキャリアＡ〜Ｅの受信品質を測定する。そしてアンカーキャリアの変更が必要な場合は、通信制御部２１３は、送信部２１６を介してアンカーキャリア変更要求を送信する。図１４の例の場合は、シーケンスＳ１０７において、通信制御部２１３が送信部２６１を介してアンカーキャリア変更要求を送信する。なお、アンカーキャリア変更要求およびその条件は、第１の実施形態の場合と同様である。
【００９９】
シーケンスＳ１０８において、基地局装置１２は、変更要求を受信すると移動端末装置２６より指定されたコンポーネントキャリアで、アンカーキャリア変更応答を送信する。この際、基地局装置１２からのアンカーキャリア変更指示が必要な場合は、このアンカーキャリア変更応答の中に含める。
シーケンスＳ１０９において、移動端末装置２６がアンカーキャリア変更応答を受信すると、移動端末装置２６は、アンカーキャリア変更応答にアンカーキャリア変更指示が含まれていることを確認する。この場合、通信制御部２１３は、指示されたコンポーネントキャリアでのデータ受信の準備を行う。そして、通信制御部２１３は、シーケンスＳ１０９でアンカーキャリア変更指示確認のメッセージを送信する。基地局装置１２は、このメッセージを受信することにより、移動端末装置２６の準備が完了したことを確認する。そして、基地局装置１２は、シーケンスＳ１１０において、新しいアンカーキャリアでアンカーキャリア変更応答を送信する。移動端末装置２６は、このメッセージを受信することで、アンカーキャリアの移行が正しく完了したことを確認する。シーケンスＳ１１１〜Ｓ１１６において、基地局装置１２及び移動端末装置２６は、図７のＳ１０〜Ｓ１５と同様にキャリアアグリゲーションにてユーザーデータを通信する。
なお、移動端末装置２６側でアンカーキャリアの変更が無い場合に、任意のタイミングで基地局装置１２がアンカーキャリアの変更を指示するようにしてもよい。この場合、基地局装置１２は、アンカーキャリアでアンカーキャリア変更指示を送信する。この中には、新しいアンカーキャリアの情報が含まれる。通信制御部２１３は、指示されたコンポーネントキャリアである新しいアンカーキャリアの受信準備ができると、アンカーキャリア変更指示応答を基地局装置１２に送信する。このアンカーキャリア変更指示応答を基地局装置１２が受信すると、基地局装置１２は、アンカーキャリア変更確認のメッセージを送信する。移動端末装置２６は、このメッセージを受信することにより、アンカーキャリアの移行が正しく完了したことを確認する。
【０１００】
第１の実施形態の場合と同様に第２の実施形態においても、移動端末装置２６が１個のコンポーネントキャリア識別子を基地局装置１２に送信する。そして、基地局装置１２は、そのコンポーネントキャリア識別子と選択優先順位に応じてキャリアアグリゲーションを行うコンポーネントキャリアを決定する。そのため、例えば全てのコンポーネントキャリアの受信品質を通信する場合よりも少ない通信量でキャリアアグリゲーションを行うコンポーネントキャリアを決定できる。
【０１０１】
＜第３の実施形態＞
図１５は、第３の実施形態における無線通信システム３のシステム構成の概略を示す構成図である。図１５において、無線通信システム３は、基地局装置１３と、移動端末装置３１〜３３とを含む。移動端末装置３１〜３３は、アンカーキャリアと、アグリゲーションするコンポーネントキャリアとの制御を別々に行う。移動端末装置３１〜３３は、予め定められた１個のコンポーネントキャリアをアンカーキャリアとする。具体的には、移動端末装置３１〜３３は、選択優先順位が最も低いコンポーネントキャリアＥを、アンカーキャリアとして用いる。基地局装置１３は、この１個のコンポーネントキャリアＥでのみ移動端末装置３１〜３３に対する制御情報を送信する。一方、移動端末装置３１〜３３は、アグリゲーションレベルを更新することにより、キャリアアグリゲーションをするコンポーネントキャリアを変更する。なお、移動端末装置３２と移動端末装置３３の構成および動作は、移動端末装置３１の構成および動作と同様であるため、説明を省略する。
【０１０２】
図１６は、移動端末装置３１の構成の概略を示す機能ブロック図である。
図１６において、移動端末装置３１は、制御部２０３と、記憶部２３３と、受信部２５１−１〜２５１−３（第１の受信部）と、送信部２６１（第１の送信部）と、アンテナ２７１−１〜２７１−３及びアンテナ２８１とを含む。制御部２０３は、受信品質測定部２１１と、周波数帯域選択部２１２と、通信制御部３１３と、受信データ結合部２１４とを含む。記憶部２３３は、周波数帯域情報記憶部２４１（第１の情報記憶部）と、利用可能周波数情報記憶部２４２と、アンカーキャリア情報記憶部２４３と、判定閾値記憶部２４４と、アグリゲーションレベル記憶部２４５とを含む。なお、アンカーキャリア情報記憶部２４３またはアグリゲーションレベル記憶部２４５を、第２の情報記憶部とも称する。
図１６において、図２の移動端末装置２１の各部に対応する部分には同一の符号（２１１、２１２、２１４、２４１〜２４４、２５１−１〜２５１−３、２６１、２７１−１〜２７１−３、２８１）を付して説明を省略する。
【０１０３】
アグリゲーションレベル記憶部２４５は、自移動端末装置３１がキャリアアグリゲーションを行う際に用いるコンポーネントキャリアのアグリゲーションレベルのうち、最も高いアグリゲーションレベル（以下、自移動端末装置３１のアグリゲーションレベルともいう）を記憶する。
通信制御部３１３は、アンカーキャリアの制御とアグリゲーションするコンポーネントキャリアの制御とを別々に行う。通信制御部３１３は、使用可能なコンポーネントキャリアのうち選択優先順位が最も低いコンポーネントキャリアをアンカーキャリアとし、送信部２６１を介してアンカーキャリア変更要求を送信する。また、通信制御部３１３は、アンカーキャリア変更要求とは別に、アグリゲーションベル報告を送信する。通信制御部３１３は、周波数帯域選択部２１２が決定したアグリゲーションレベルに従って、送信部２６１を介してアグリゲーションレベル報告を送信する。
【０１０４】
図１７は、基地局装置１３の構成の概略を示す機能ブロック図である。
図１７において、基地局装置１３は、制御部１０３と、記憶部１３１と、送信部１５１−１〜１５１−３（第２の送信部）と、受信部１６１（第２の受信部）と、アンテナ１７１−１〜１７１−３及びアンテナ１８１と、コアネットワーク（Core Network；ＣＮ）通信部１９１とを含む。記憶部１３１は、周波数帯域情報記憶部１４１と、アグリゲーション情報記憶部１４２と、各端末アンカーキャリア情報記憶部１４３と、判定閾値記憶部１４４とを含む。
図１７において、図４の基地局装置３１の各部に対応する部分には同一の符号（１３１、１４１〜１４４、１５１−１〜１５１−３、１６１、１７１−１〜１７１−３、１８１、１９１）を付して説明を省略する。
制御部１０３は、アンカーキャリアの変更とアグリゲーションレベルの変更とを別々に行う。受信部１６１がアンカーキャリア変更要求を受信すると、制御部１０３は、受信したアンカーキャリアを各端末アンカーキャリア情報記憶部１４３に書き込む。また、受信部１６１がアグリゲーションレベル報告を受信すると、制御部１０３は、受信したアグリゲーションレベルアグリゲーション情報記憶部１４２のアグリゲーションレベル情報の欄に書き込む。
【０１０５】
図１８は、アンカーキャリアの制御とアグリゲーションするコンポーネントキャリアの制御とを別々に行う場合の処理手順を示すシーケンス図である。
図１８において、シーケンスＳ１２１〜Ｓ１２５は、図１４のシーケンスＳ１０１〜Ｓ１０５と同様である。
シーケンスＳ１２６において、受信品質測定部２１１は、各コンポーネントキャリアＡ〜Ｅの受信品質を測定する。
周波数帯域選択部２１２は、アグリゲーションレベルが最も低いコンポーネントキャリアＥをアンカーキャリアに選択する。周波数帯域選択部２１２は、アンカーキャリア情報記憶部２４３にアンカーキャリアＥのコンポーネントキャリア識別子を書き込む。
通信制御部３１３は、アンカーキャリアの変更要求を、基地局装置１３に送信する（シーケンスＳ１２７）。ここでは、移動端末装置３１は、コンポーネントキャリアＤをアンカーキャリアとして使用しており、コンポーネントキャリアＤに対応するアップリンクでアンカーキャリアの変更要求を送信する。
【０１０６】
シーケンスＳ１２８において、移動端末装置３１からの要求を受けた基地局装置１３は、各端末アンカーキャリア情報記憶部１４３にアンカーキャリアＥのコンポーネントキャリア識別子を書き込む。基地局装置１３は、要求されたコンポーネントキャリアでアンカーキャリア変更応答を送信する。移動端末装置３１は、このアンカーキャリア変更応答を受信することでアンカーキャリアの変更が完了したことを確認する。
シーケンスＳ１２９において、受信品質測定部２１１は、各コンポーネントキャリアの受信品質を測定する。そして、周波数帯域選択部２１２は、測定結果からアグリゲーションレベルを決定する。図１８の例では、コンポーネントキャリアＡ及びＢの受信品質が、判定閾値記憶部２４４から読み出す閾値Ｆ１−Ｌを上回っている。そのため、移動端末装置３１の通信制御部３１３は、送信部２１６を介して基地局装置１３に対してアグリゲーションの「レベル１」を示すアグリゲーションレベル報告を送信する。このアグリゲーションの「レベル１」は、周波数帯域選択部２１２が選択したコンポーネントキャリアＡまたはＢを示す。したがって、アグリゲーションレベル報告は、周波数帯域選択部２１２が選択したコンポーネントキャリアを示す信号である。
【０１０７】
シーケンスＳ１３０において、基地局装置１３は、アグリゲーションレベル報告から、アグリゲーションレベルを読み出し、アグリゲーション情報記憶部１４２に書き込む。基地局装置１３は、アグリゲーションレベル応答を移動端末装置３１に送信する。移動端末装置３１は、アグリゲーションレベル応答を受信すると、以後、プロトコル制御の信号はアンカーキャリアＥで受信する。また、移動端末装置３１は、ユーザーデータはアグリゲーションの「レベル１」以下、つまりすべてのコンポーネントキャリアを用いて受信する。
シーケンスＳ１３１において、移動端末装置３１は、コンポーネントキャリアＥを用いて、待ち受け状態となるが、待ち受け中、通信中ともに受信品質測定部２１１はアグリゲーションレベルの測定を実施する。アグリゲーションレベルの測定は、第１の実施形態の移動端末装置２１や、第２の実施形態の移動端末装置２６と同様に行う。ここで、移動端末装置３１は、アンカーキャリアとなるコンポーネントキャリアＥで基地局装置からの呼び出し等の受信を行い、アグリゲーションレベル１のコンポーネントキャリアＡ及びＢの受信部２５１−１を停止している。そこで、移動端末装置３１の受信品質測定部２１１は、受信品質の測定タイミングで測定対象であるアグリゲーションレベル１の受信部２５１−１を起動して測定を行う（シーケンスＳ１３２、Ｓ１３３）。
この測定により、アグリゲーションレベルの変更が必要だと周波数帯域選択部２１２が判定した場合は、通信制御部３１３は送信部２６１を介して再度アグリゲーションレベル報告を送信する。基地局装置１３はアグリゲーションレベル報告から、アグリゲーションレベルを読み出し、アグリゲーション情報記憶部１４２に書き込む。
【０１０８】
シーケンスＳ１３４において、「レベル１」のコンポーネントキャリアのレベルが下がり閾値を下回っているため、周波数帯域選択部２１２は、記憶部２３３内のアグリゲーションレベル記憶部２４５に「レベル２」を書き込む。また、通信制御部３１３は、レベル２を示すアグリゲーションレベル報告を送信する。基地局装置１３は、アグリゲーションレベル報告から、アグリゲーションレベルを読み出し、アグリゲーション情報記憶部１４２に書き込む。
シーケンスＳ１３５において、アグリゲーションレベル応答を受信した後は、移動端末装置３１は、アグリゲーションレベル記憶部２４５に記憶されたアグリゲーションレベルでキャリアアグリゲーションを行う。図１８の例の場合、パケット通信要求が発生すると（シーケンスＳ１３６）、「レベル２」以下のコンポーネントキャリアを用いて通信を行うことにより、ユーザーデータの通信を高速で行う（シーケンスＳ１３７〜１３９）。また、通信中も受信品質測定部２１１は、各コンポーネントキャリアの受信品質を測定する（シーケンスＳ１４０）。ステップＳ１４１において、通信中に周波数帯域選択部２１２は、受信品質が各コンポーネントキャリアの受信品質と判定閾値記憶部２４４から読み出す閾値とを比較する。ここでは、コンポーネントキャリアＡまたはＢの受信品質がＦ１−Ｌを上回ることから、周波数帯域選択部２１２は、アグリゲーションレベルが「レベル１」に達したと判定する。通信制御部２１３は、再度、アグリゲーションレベル報告を送信する。基地局装置１３は、アグリゲーションレベル応答を移動端末装置３１に返す（シーケンスＳ１４２）。基地局装置１３は、アグリゲーションに「レベル１」のコンポーネントキャリアを追加するタイミングを、例えばフレーム単位で移動端末装置３１に通知する。基地局装置１３は、コンポーネントキャリアを追加するタイミングを示す情報をアグリゲーションレベル応答に含めて送信する。このフレーム以後に発生したパケットを送信するときは、基地局装置１３は、ユーザーデータをＡ〜Ｅの５つのコンポーネントキャリアに分割して送信する。移動端末装置３１は、これら全てのコンポーネントキャリアで信号を受信してユーザーデータを復調することにより、高速なデータ通信を行う。つまり、移動端末装置３１は、コンポーネントキャリアＡ〜Ｅを用いてキャリアアグリゲーションを行うことにより、基地局装置１３とパケット通信を行う（シーケンスＳ１４３）。
その後、移動端末装置３１は、基地局装置１３に、パケット接続解放要求を送信する（シーケンスＳ１４４）。これに応答して、基地局装置１３は、移動端末装置３１に、パケット接続解放応答を送信する（シーケンスＳ１４５）。
【０１０９】
第１の実施形態の場合と同様に第３の実施形態においても、移動端末装置３１が１個のコンポーネントキャリア識別子を基地局装置１３に送信する。そして、基地局装置１３は、そのコンポーネントキャリア識別子と選択優先順位に応じてキャリアアグリゲーションを行うコンポーネントキャリアを決定する。そのため、例えば全てのコンポーネントキャリアの受信品質を通信する場合よりも少ない通信量でキャリアアグリゲーションを行うコンポーネントキャリアを決定できる。
また、アンカーキャリアとして、受信品質が最も良好であると期待される選択優先順位が最も低いコンポーネントキャリアを用いる。これにより、移動端末装置３１は、制御情報をより確実に受信することができる。
【０１１０】
＜第４の実施形態＞
図１９は、選択優先順位が周波数の高い順とはならない場合の無線通信システム４の構成を示すシステム構成図である。
例えば、基地局装置１４の近くに周波数バンドＦ２で通信を行う基地局装置が存在し、この基地局装置との干渉を避ける場合について説明する。基地局装置１４は、他の基地局装置との位置関係などのために周波数バンドＦ２のサービスエリアを他の周波数バンドよりも狭くした場合に、周波数バンドＦ２は他の周波数バンドよりも良好な受信品質が期待できないので、選択優先順位を高くする。
図１９において、無線通信システム４は、基地局装置１４と移動端末装置３６及び３７とを含む。なお、第４の実施形態における基地局装置１４および移動端末装置３６の構成は、それぞれ図２および図４と同様であるため、図示および説明を省略する。
基地局装置１４は、周波数バンドＦ１（コンポーネントキャリアＡ及びＢ）、Ｆ２（コンポーネントキャリアＣ及びＤ）、Ｆ３（コンポーネントキャリアＥ）の３つの周波数Ｆ１＞Ｆ２＞Ｆ３でダウンリンクの送信を行う。このうち、周波数バンドＦ２は他の基地局装置との干渉を避けるために、周波数バンドＦ２のサービスエリアａｒ３１を、周波数バンドＦ１およびＦ３のサービスエリアａｒ３２よりも狭いエリアに設定している。また、基地局装置１４は、周波数バンドＦ１のアグリゲーションレベルを「レベル２」とし、周波数バンドＦ２のアグリゲーションレベルを「レベル１」とし、周波数バンドＦ３のアグリゲーションレベルを「レベル３」としている。具体的には、周波数帯域情報記憶部１４１は、コンポーネントキャリアＣおよびＤの選択優先順位として「１」を記憶し、コンポーネントキャリアＡおよびＢの選択優先順位として「２」を記憶し、コンポーネントキャリアＥの選択優先順位として「３」を記憶している。
【０１１１】
図２０は、基地局装置１４および移動端末装置３６が行う制御の例を示すシーケンス図である。
図２０のシーケンスＳ１６１〜Ｓ１６４までは、図７のシーケンスＳ１〜Ｓ４と同様である。
シーケンスＳ１６５において、基地局装置１４は、前述のアグリゲーションの組み合わせを、キャリアアグリゲーション能力応答に含めて移動端末装置３６に送信する。優先順位を変更している為、「レベル２」のアグリゲーションレベルとなった場合は、コンポーネントキャリアＡ、Ｂ、Ｅを用いてアグリゲーションを行う。コンポーネントキャリアの組み合わせが変わることを除けば、その処理手順は第１および第２の実施形態で説明したものと同一である。すなわち、図２０のシーケンスＳ１６６〜Ｓ１７０は、図１８のシーケンスＳ１２７〜Ｓ１３０と同様である。また、図２０のシーケンスＳ１７１〜Ｓ１８０は、図１８のシーケンスＳ１３６〜Ｓ１４５と同様である。ただし、シーケンスＳ１７４において、選択優先順位が２以下のコンポーネントキャリアは、コンポーネントキャリアＡ、Ｂ、Ｅとである。移動端末装置３１及び基地局装置１３は、これらのコンポーネントキャリアＡ、Ｂ、Ｅを用いてキャリアアグリゲーションを行う。
【０１１２】
第１の実施形態の場合と同様に第４の実施形態においても、移動端末装置３６は、１個のコンポーネントキャリア識別子を基地局装置１４に送信する。そして、基地局装置１４は、そのコンポーネントキャリア識別子と選択優先順位に応じてキャリアアグリゲーションを行うコンポーネントキャリアを決定する。そのため、例えば全てのコンポーネントキャリアの受信品質を通信する場合よりも少ない通信量でキャリアアグリゲーションを行うコンポーネントキャリアを決定できる。
【０１１３】
なお、アップリンク送信においてもキャリアアグリゲーションを実施するようにしてもよい。あるいは、アップリンクに割り当てられる周波数帯域が１個のみであってもよい。あるいは、上述したようにダウンリンクに対応付けられたアップリンクを用いて通信を行うようにしてもよい。例えば、アップリンクとダウンリンクの周波数の組み合わせが決まっている場合において、アンカーキャリアの報知情報で端末に通知されているアップリンクの周波数帯域を用いて通信を行う。アップリンクの信号についてのキャリアアグリゲーションも上記と同様に行うようにできる。
なお、アンテナは、各受信系に１つに限らず、１つのコンポーネントキャリアに複数のアンテナを利用しＭＩＭＯ通信する方法を用いてもよい。この場合は、受信部に複数のアンテナを設け、受信部をＭＩＭＯ受信に対応した受信部とすることで上述の場合と同様にキャリアアグリゲーションを行うことができる。また、アンテナは、各コンポーネントキャリア共通で、受信アンテナの信号を各受信部に分割し受信するようにしても良い。この場合は、アンテナを共通に使用する受信部とアンテナの間に分配器を設け、アンテナからの受信信号を、分配器を用いて複数の受信部に出力する。分配器での受信品質劣化を抑えるため、アンテナと分配器との間に低雑音の増幅器（ローノイズアンプ）を備えるようにしてもよい。
さらに、アグリゲーションは、５つに限らず、またアグリゲーションレベルも３つではなく４つ、５つ、あるいはそれ以上にであってもよい。
【０１１４】
なお、一部のコンポーネントキャリアは、キャンプオン等の処理を受け付けないものであってもよい。同一のアグリゲーションレベルのうちひとつでも受信品質を満たし、かつキャンプオン可能なコンポーネントキャリアがあれば、その他のキャリアもキャリアアグリゲーションに利用できる。例えば、図１においてコンポーネントキャリアＣがキャンプオンできないコンポーネントキャリアであったとする。アグリゲーションレベルの「レベル２」へ遷移可能かどうか調べる場合、コンポーネントキャリアＣとコンポーネントキャリアＤの２つが起動され、受信品質が測定される。このとき、コンポーネントキャリアＣは、同期信号などが無く受信品質が測定できない。しかしながらコンポーネントキャリアＤは、キャンプオン可能であり、移動端末装置は、この受信品質を測定することが可能である。この受信品質が所定の閾値（Ｆ２−Ｌ）を超えていれば、アンカーキャリアをこの周波数に変更する。アンカーキャリアがこの周波数に変更されれば、キャリアアグリゲーションする場合は、アグリゲーションレベルが「レベル２」以下のコンポーネントキャリアは、全てキャリアアグリゲーションに利用される。そのため、コンポーネントキャリアＣにおけるユーザーデータも取得可能となり、高速なデータ通信を行うことができる。
【０１１５】
なお、移動端末装置２１〜２３、２６、３１〜３３、３６、３７の全部または一部の機能を実現するためのプログラムを、コンピュータ読み取り可能な記録媒体に記録してもよい。そして、この記録媒体に記録されたプログラムを、コンピュータシステムに読み込ませ、実行することにより各部の処理を行ってもよい。なお、ここでいう「コンピュータシステム」とは、ＯＳや周辺機器等のハードウェアを含む。
また、「コンピュータシステム」は、ＷＷＷシステムを利用している場合であれば、ホームページ提供環境（あるいは表示環境）も含む。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良く、さらに前述した機能をコンピュータシステムにすでに記録されているプログラムとの組み合わせで実現できるものであっても良い。
【０１１６】
以上、この発明の実施形態について図面を参照して詳述してきたが、具体的な構成はこの実施形態に限られるものではなく、この発明の要旨を逸脱しない範囲の設計変更等も含まれる。
【産業上の利用可能性】
【０１１７】
本発明は、無線通信システム、無線通信装置および無線通信方法、例えば移動体通信システムや、移動体通信システムの基地局装置や、移動体通信システムの移動端末装置に用いて好適である。
【符号の説明】
【０１１８】
１、２、３、４・・・無線通信システム、
１１、１２、１３、１４・・・基地局装置、
２１、２２、２３、２６、３１、３２、３３、３６、３７・・・移動端末装置、
１０１、１０３、２０１、２０３・・・制御部、
２１１・・・受信品質測定部、
２１２・・・周波数帯域選択部、
２１３、３１３・・・通信制御部、
２１４・・・受信データ結合部、
１３１、２３１、２３３・・・記憶部、
１４１、２４１・・・周波数帯域情報記憶部、
１４２・・・アグリゲーション情報記憶部、
１４３・・・各端末アンカーキャリア情報記憶部、
２４２・・・利用可能周波数情報記憶部、
２４３・・・アンカーキャリア情報記憶部、
２４４・・・判定閾値記憶部、
２４５・・・アグリゲーションレベル記憶部、
１６１、２５１−１〜２５１−３・・・受信部、
１５１−１〜１５１−３、２６１・・・送信部、
１７１−１〜１７１−３、１８１、２７１−１〜２７１−３、２８１・・・アンテナ、
１９１・・・コアネットワーク通信部
【図１】
2011024646.tif 000004
【図２】
2011024646.tif 000005
【図３】
2011024646.tif 000006
【図４】
2011024646.tif 000007
【図５】
2011024646.tif 000008
【図６】
2011024646.tif 000009
【図７】
2011024646.tif 000010
【図８】
2011024646.tif 000011
【図９】
2011024646.tif 000012
【図１０】
2011024646.tif 000013
【図１１】
2011024646.tif 000014
【図１２】
2011024646.tif 000015
【図１３】
2011024646.tif 000016
【図１４】
2011024646.tif 000017
【図１５】
2011024646.tif 000018
【図１６】
2011024646.tif 000019
【図１７】
2011024646.tif 000020
【図１８】
2011024646.tif 000021
【図１９】
2011024646.tif 000022
【図２０】
2011024646.tif 000023
【国際調査報告】
2011024646.tif 000024
2011024646.tif 000025